(57)【要約】【課題】コンクリートを利用することなく高い強度を備えた壁鉄筋構造物を提供する。【解決手段】壁鉄筋構造物１０Ａは、鉄筋トラス構造材１１と内壁材１５と外壁材１６とから形成されている。建築物の１階部分では、複数の鉄筋トラス構造材１１の上端部と下端部とが建築物の天井部分と基礎部分とに連結され、複数の内壁材１５の上端部４１と下端部４２とが建築物の天井部分と基礎部分とに連結され、複数の外壁材１６の上端部４８と下端部４９が建築物の天井部分と基礎部分とに連結されている。建築物の２階以上の部分では、複数の鉄筋トラス構造材１１の上端部と下端部とが建築物の天井部分と床部分とに連結され、複数の内壁材１５の上端部４１と下端部４２とが建築物の天井部分と床部分とに連結され、複数の外壁材１６の上端部４８と下端部４９とが建築物の天井部分と床部分とに連結されている。【選択図】図５
2020070583.tif 000002
【特許請求の範囲】
【請求項１】
建築物の壁の構築に使用する壁鉄筋構造物において、
前記壁鉄筋構造物が、上下方向へ延びる所定面積の鉄筋トラス構造材と、前記鉄筋トラス構造材の直後に位置して上下方向へ延びる所定面積の内壁材と、前記鉄筋トラス構造材の直前に位置して上下方向へ延びる所定面積の外壁材とから形成され、
前記建築物の１階部分では、複数の前記鉄筋トラス構造材が幅方向へ並んだ状態で連結され、それら鉄筋トラス構造材の上端部が前記建築物の天井部分に所定の連結手段を介して連結固定されているとともに、それら鉄筋トラス構造材の下端部が前記建築物の基礎部分に所定の連結手段を介して連結固定され、複数の前記内壁材が幅方向へ並ぶとともに、それら内壁材の上端部が前記建築物の天井部分に所定の連結手段を介して連結固定され、それら内壁材の下端部が前記建築物の基礎部分に所定の連結手段を介して連結固定され、複数の前記外壁材が幅方向へ並ぶとともに、それら外壁材の上端部が前記建築物の天井部分に所定の連結手段を介して連結固定され、それら外壁材の下端部が前記建築物の基礎部分に所定の連結手段を介して連結固定され、
前記建築物の２階以上の部分では、複数の前記鉄筋トラス構造材が幅方向へ並んだ状態で連結され、それら鉄筋トラス構造材の上端部が前記建築物の天井部分に所定の連結手段を介して連結固定されているとともに、それら鉄筋トラス構造材の下端部が前記建築物の床部分に所定の連結手段を介して連結固定され、複数の前記内壁材が幅方向へ並ぶとともに、それら内壁材の上端部が前記建築物の天井部分に所定の連結手段を介して連結固定され、それら内壁材の下端部が前記建築物の床部分に所定の連結手段を介して連結固定され、複数の前記外壁材が幅方向へ並ぶとともに、それら外壁材の上端部が前記建築物の天井部分に所定の連結手段を介して連結固定され、それら外壁材の下端部が前記建築物の床部分に所定の連結手段を介して連結固定されていることを特徴とする壁鉄筋構造物。
【請求項２】
前記建築物の１階部分では、幅方向へ並ぶそれら鉄筋トラス構造材の上端部と幅方向へ並ぶそれら内壁材の上端部と幅方向へ並ぶそれら外壁材の上端部とが前記天井部分において所定の連結手段を介して互いに連結され、前記建築物の２階以上の部分では、幅方向へ並ぶそれら鉄筋トラス構造材の下端部と幅方向へ並ぶそれら内壁材の下端部と幅方向へ並ぶそれら外壁材の下端部とが前記床部分において所定の連結手段を介して互いに連結され、幅方向へ並ぶそれら鉄筋トラス構造材の上端部と幅方向へ並ぶそれら内壁材の上端部と幅方向へ並ぶそれら外壁材の上端部とが前記天井部分において所定の連結手段を介して互いに連結されている請求項１に記載の壁鉄筋構造物。
【請求項３】
前記鉄筋トラス構造材が、上下方向へ延びる両側縁部及び幅方向へ延びる両端縁部を有する所定面積の金属ベースと、前記金属ベースの前面に設置固定され、該金属ベースの両端縁部の間に位置して上下方向へ延びる少なくとも１つの鉄筋トラスとから形成され、前記金属ベースが、その両側縁部の間に幅方向へ所定間隔離間して形成されて上下方向へ延びるとともに該金属ベースの前面から前方へ凸となる複数の凸条を有し、前記鉄筋トラスが、前記金属ベースの前面から前方へ離間して上下方向へ延びる上端筋と、前記金属ベースの前面と前記上端筋との間に位置して上下方向へ延びる一対の下端筋と、前記金属ベースの前面と前記上端筋との間で前後方向へ波状に曲折を繰り返しながら上下方向へ延びる一対の第１及び第２ラチス筋とから形成され、前記ラチス筋の上端凸部が、前記上端筋に溶接固定され、前記ラチス筋の中間部が、前記下端筋に溶接固定され、前記ラチス筋の下端凹部が、前記凸条に溶接固定され、前記建築物の１階部分では、前記鉄筋トラスの上端筋の下端部と下端筋の下端部と第１及び第２ラチス筋の下端部とのうちの少なくとも１つが前記基礎部分の基礎鉄筋に連結固定され、前記鉄筋トラスの上端筋の上端部と下端筋の上端部と第１及び第２ラチス筋の上端部とのうちの少なくとも１つが前記天井部分に連結固定され、前記建築物の２階以上の部分では、前記鉄筋トラスの上端筋の下端部と下端筋の下端部と第１及び第２ラチス筋の下端部とのうちの少なくとも１つが前記床部分に連結固定され、前記鉄筋トラスの上端筋の上端部と下端筋の上端部と第１及び第２ラチス筋の上端部とのうちの少なくとも１つが前記天井部分に連結固定されている請求項１又は請求項２に記載の壁鉄筋構造物。
【請求項４】
前記鉄筋トラスの第１及び第２ラチス筋の下方凹部が、前記金属ベースの前面と並行するように幅方向外方へ屈曲して該金属ベースの凸条の２箇所に当接する屈曲部分を有し、前記屈曲部分が、前記凸条の２箇所に溶接固定されている請求項３に記載の壁鉄筋構造物。
【請求項５】
前記壁鉄筋構造物では、それら鉄筋トラス構造材の金属ベースとそれら外壁材との間に断熱空間が画成され、前記断熱空間に所定の断熱材が収容されている請求項３又は請求項４に記載の壁鉄筋構造物。
【請求項６】
前記断熱材が、チップ状に成形され、前記チップ状の複数の断熱材が、前記断熱空間に密集状態で収容されている請求項５に記載の壁鉄筋構造物。
【請求項７】
前記内壁材を貫通する貫通孔が、該内壁材の上端部のうちの前記断熱空間に位置する部分と該内壁材の下端部のうちの該断熱空間に位置する部分とのうちの少なくとも一方の部分に穿孔され、前記外壁材を貫通する貫通孔が、該外壁材の上端部のうちの前記断熱空間に位置する部分と該外壁材の下端部のうちの該断熱空間に位置する部分とのうちの少なくとも一方の部分に穿孔されている請求項１ないし請求項６いずれかに記載の壁鉄筋構造物。
【請求項８】
前記鉄筋トラス構造材の金属ベースを貫通する貫通孔が、該金属ベースの上端部のうちの前記断熱空間に位置する部分と該金属ベースの下端部のうちの該断熱空間に位置する部分とのうちの少なくとも一方の部分に穿孔されている請求項７に記載の壁鉄筋構造物。
【請求項９】
建築物の壁の構築に使用する壁鉄筋構造物において、
前記壁鉄筋構造物が、上下方向へ延びる所定面積の第１鉄筋トラス構造材と、前記第１鉄筋トラス構造材に対向しつつ該第１鉄筋トラス構造材の内側に位置して上下方向へ延びる所定面積の第２鉄筋トラス構造材と、前記第１鉄筋トラス構造材の直後に位置して上下方向へ延びる所定面積の内壁材と、前記第２鉄筋トラス構造材の直前に位置して上下方向へ延びる所定面積の外壁材とから形成され、
前記建築物の１階部分では、複数の前記第１鉄筋トラス構造材が幅方向へ並んだ状態で連結され、複数の前記第２鉄筋トラス構造材が幅方向へ並んだ状態で連結され、それら第１及び第２鉄筋トラス構造材の上端部が前記建築物の天井部分に所定の連結手段を介して連結固定されているとともに、それら第１及び第２鉄筋トラス構造材の下端部が前記建築物の基礎部分に所定の連結手段を介して連結固定され、複数の前記内壁材が幅方向へ並ぶとともに、それら内壁材の上端部が前記建築物の天井部分に所定の連結手段を介して連結固定され、それら内壁材の下端部が前記建築物の基礎部分に所定の連結手段を介して連結固定され、複数の前記外壁材が幅方向へ並ぶとともに、それら外壁材の上端部が前記建築物の天井部分に所定の連結手段を介して連結固定され、それら外壁材の下端部が前記建築物の基礎部分に所定の連結手段を介して連結固定され、
前記建築物の２階以上の部分では、複数の前記第１鉄筋トラス構造材が幅方向へ並んだ状態で連結され、複数の前記第２鉄筋トラス構造材が幅方向へ並んだ状態で連結され、それら第１及び第２鉄筋トラス構造材の上端部が前記建築物の天井部分に所定の連結手段を介して連結固定されているとともに、それら第１及び第２鉄筋トラス構造材の下端部が前記建築物の床部分に所定の連結手段を介して連結固定され、複数の前記内壁材が幅方向へ並ぶとともに、それら内壁材の上端部が前記建築物の天井部分に所定の連結手段を介して連結固定され、それら内壁材の下端部が前記建築物の床部分に所定の連結手段を介して連結固定され、複数の前記外壁材が幅方向へ並ぶとともに、それら外壁材の上端部が前記建築物の天井部分に所定の連結手段を介して連結固定され、それら外壁材の下端部が前記建築物の床部分に所定の連結手段を介して連結固定されていることを特徴とする壁鉄筋構造物。
【請求項１０】
前記建築物の１階部分では、幅方向へ並ぶそれら第１及び第２鉄筋トラス構造材の上端部と幅方向へ並ぶそれら内壁材の上端部と幅方向へ並ぶそれら外壁材の上端部とが前記天井部分において所定の連結手段を介して互いに連結され、前記建築物の２階以上の部分では、幅方向へ並ぶそれら第１及び第２鉄筋トラス構造材の下端部と幅方向へ並ぶそれら内壁材の下端部と幅方向へ並ぶそれら外壁材の下端部とが前記床部分において所定の連結手段を介して互いに連結され、幅方向へ並ぶそれら第１及び第２鉄筋トラス構造材の上端部と幅方向へ並ぶそれら内壁材の上端部と幅方向へ並ぶそれら外壁材の上端部とが前記天井部分において所定の連結手段を介して互いに連結されている請求項９に記載の壁鉄筋構造物。
【請求項１１】
前記第１鉄筋トラス構造材が、上下方向へ延びる両側縁部及び幅方向へ延びる両端縁部を有する所定面積の第１金属ベースと、前記第１金属ベースの対向面に設置固定され、該第１金属ベースの両端縁部の間に位置して上下方向へ延びる少なくとも１つの第１鉄筋トラスとから形成され、前記第２鉄筋トラス構造材が、上下方向へ延びる両側縁部及び幅方向へ延びる両端縁部を有する所定面積の第２金属ベースと、前記第２金属ベースの対向面に設置固定され、該第２金属ベースの両端縁部の間に位置して上下方向へ延びる少なくとも１つの第２鉄筋トラスとから形成され、前記第１及び第２金属ベースが、その両側縁部の間に幅方向へ所定間隔離間して形成されて上下方向へ延びるとともに該金属ベースの対向面から前方へ凸となる複数の凸条を有し、前記第１鉄筋トラスが、前記第１金属ベースの対向面から前方へ離間して上下方向へ延びる上端筋と、前記第１金属ベースの対向面と前記上端筋との間に位置して上下方向へ延びる一対の下端筋と、前記第１金属ベースの対向面と前記上端筋との間で前後方向へ波状に曲折を繰り返しながら上下方向へ延びる一対の第１及び第２ラチス筋とから形成され、前記第２鉄筋トラスが、前記第２鉄板ベースの対向面から後方へ離間して上下方向へ延びていて幅方向へ隣接する前記第１鉄筋トラスの間に位置する上端筋と、前記第２鉄板ベースと前記上端筋との間に位置して上下方向へ延びていて幅方向へ隣接する前記第１鉄筋トラスの間に位置する一対の下端筋と、幅方向へ隣接する前記第１鉄筋トラスの間に位置して前記第２鉄板ベースの対向面と前記上端筋との間で前後方向へ波状に曲折を繰り返しながら上下方向へ延びる一対の第１および第２ラチス筋とから形成され、前記第１および第２ラチス筋の上端凸部が、前記上端筋に溶接固定され、前記第１および第２ラチス筋の中間部が、前記下端筋に溶接固定され、前記第１および第２ラチス筋の下端凹部が、前記凸条に溶接固定され、前記建築物の１階部分では、前記第１および第２鉄筋トラスの上端筋の下端部と下端筋の下端部と第１及び第２ラチス筋の下端部とのうちの少なくとも１つが前記基礎部分の基礎鉄筋に連結固定され、前記第１および第２鉄筋トラスの上端筋の上端部と下端筋の上端部と第１及び第２ラチス筋の上端部とのうちの少なくとも１つが前記天井部分に連結固定され、前記建築物の２階以上の部分では、前記第１および第２鉄筋トラスの上端筋の下端部と下端筋の下端部と第１及び第２ラチス筋の下端部とのうちの少なくとも１つが前記床部分に連結固定され、前記第１および第２鉄筋トラスの上端筋の上端部と下端筋の上端部と第１及び第２ラチス筋の上端部とのうちの少なくとも１つが前記天井部分に連結固定されている請求項９又は請求項１０に記載の壁鉄筋構造物。
【請求項１２】
前記第１鉄筋トラスの第１及び第２ラチス筋の下方凹部が、前記第１金属ベースの対向面と並行するように幅方向外方へ屈曲して該第１金属ベースの凸条の２箇所に当接する屈曲部分を有し、前記屈曲部分が、前記第１金属ベースの凸条の２箇所に溶接固定され、前記第２鉄筋トラスの第１及び第２ラチス筋の下方凹部が、前記第２金属ベースの対向面と並行するように幅方向外方へ屈曲して該第２金属ベースの凸条の２箇所に当接する屈曲部分を有し、前記屈曲部分が、前記第２金属ベースの凸条の２箇所に溶接固定されている請求項１１に記載の壁鉄筋構造物。
【請求項１３】
前記壁鉄筋構造物では、それら第１鉄筋トラス構造材の第１金属ベースの対向面とそれら第２鉄筋トラス構造材の第２金属ベースの対向面との間に断熱空間が画成され、前記断熱空間に所定の断熱材が収容されている請求項１１又は請求項１２に記載の壁鉄筋構造物。
【請求項１４】
前記断熱材が、チップ状に成形され、前記チップ状の複数の断熱材が、前記断熱空間に密集状態で収容されている請求項１３に記載の壁鉄筋構造物。
【請求項１５】
前記内壁材を貫通する貫通孔が、該内壁材の上端部のうちの前記断熱空間に位置する部分と該内壁材の下端部のうちの該断熱空間に位置する部分とのうちの少なくとも一方の部分に穿孔され、前記外壁材を貫通する貫通孔が、該外壁材の上端部のうちの前記断熱空間に位置する部分と該外壁材の下端部のうちの該断熱空間に位置する部分とのうちの少なくとも一方の部分に穿孔されている請求項９ないし請求項１４いずれかに記載の壁鉄筋構造物。
【請求項１６】
前記第１鉄筋トラス構造材の第１金属ベースを貫通する貫通孔が、該第１金属ベースの上端部のうちの前記断熱空間に位置する部分と該第１金属ベースの下端部のうちの該断熱空間に位置する部分とのうちの少なくとも一方の部分に穿孔され、前記第２鉄筋トラス構造材の第２金属ベースを貫通する貫通孔が、該第２金属ベースの上端部のうちの前記断熱空間に位置する部分と該第２金属ベースの下端部のうちの該断熱空間に位置する部分とのうちの少なくとも一方の部分に穿孔されている請求項１５に記載の壁鉄筋構造物。
【発明の詳細な説明】
【技術分野】
【０００１】
本発明は、２階建て以上の建築物の壁の構築に使用する壁鉄筋構造物に関する。
【背景技術】
【０００２】
四角柱状の角形鋼管柱の屋外側に設置された耐火性外壁と、四角柱状の角形鋼管柱の屋内側に設置された耐火材となる内壁板と、耐火性外壁と内壁板との間に設置された押出法ポリスチレンフォーム製の断熱材と、角形鋼管柱の屋外側の面とその面に直交して断熱材が配設される側の角形鋼管柱の側面の少なくとも一部とに連続して貼り付けられる加熱膨張シートとを有し、角形鋼管柱が隣接して設置される場合、加熱膨張シートが貼り付けられた角形鋼管柱の側面間に止水性と耐火性とを兼ね備えた耐火シール材を介在させた外壁構造物が開示されている（特許文献１参照）。この外壁構造物は、屋内側の形状を変えることなく、外壁の耐火性能を向上させることができる。
【先行技術文献】
【特許文献】
【０００３】
【特許文献１】特開２０１４−４０７７３号公報
【発明の概要】
【発明が解決しようとする課題】
【０００４】
前記特許文献１に開示の外壁構造物は、四角柱状の角形鋼管柱の間に延びる耐火性外壁及び内壁板とそれら板の間に配置された断熱材とから形成され、角形鋼管柱の間に鉄筋やコンクリートが存在せず、外壁構造物に鉄筋コンクリート製の外壁と同等の十分な強度を持たせることができない。この外壁構造物は、四角柱状の角形鋼管柱の間に延びる耐火性外壁及び内壁板において外壁構造物に作用する各種の応力を支えなければならず、地震による激しい揺れが作用した場合、その揺れに耐えきれずに耐火性外壁及び内壁板が倒壊するおそれがあり、また、津波におそわれた場合、その水圧に耐えきれず耐火性外壁及び内壁板が押し流されるおそれがあり、外壁の安全性を確保することができない。
【０００５】
なお、鉄筋コンクリート外壁を施工するには、鉄筋を配筋しつつ型枠を組み立て、型枠にコンクリートを打設し、打設したコンクリートの養生期間が経過した後、型枠を取り外す。したがって、鉄筋の配筋作業や型枠の組立作業、型枠の取り外し作業が必要になり、その分の工期を要するのみならず、鉄筋の配筋技術や型枠の組立技術が必要となり、鉄筋の配筋技術を備えた鉄筋工や型枠の組立技術を備えた型枠工以外の作業者が打ち放し鉄筋コンクリート外壁を施工することは困難である。
【０００６】
本発明の目的は、コンクリートを利用することなく高い強度を備え、地震による激しい揺れに耐えることができるとともに、津波の水圧に耐えることができ、建築物の地震による倒壊や建築物の津波による流失を防ぐことができる壁鉄筋構造物を提供することにある。本発明の他の目的は、鉄筋の配筋技術や型枠の組立技術を必要とせず、短い工期で建築物の壁を施工することができる壁鉄筋構造物を提供することにある。
【課題を解決するための手段】
【０００７】
前記課題を解決するための本発明の前提は、建築物の壁の構築に使用する壁鉄筋構造物である。
【０００８】
前記前提における本発明の第１の特徴は、壁鉄筋構造物が、上下方向へ延びる所定面積の鉄筋トラス構造材と、鉄筋トラス構造材の直後に位置して上下方向へ延びる所定面積の内壁材と、鉄筋トラス構造材の直前に位置して上下方向へ延びる所定面積の外壁材とから形成され、建築物の１階部分では、複数の鉄筋トラス構造材が幅方向へ並んだ状態で連結され、それら鉄筋トラス構造材の上端部が建築物の天井部分に所定の連結手段を介して連結固定されているとともに、それら鉄筋トラス構造材の下端部が建築物の基礎部分に所定の連結手段を介して連結固定され、複数の内壁材が幅方向へ並ぶとともに、それら内壁材の上端部が建築物の天井部分に所定の連結手段を介して連結固定され、それら内壁材の下端部が建築物の基礎部分に所定の連結手段を介して連結固定され、複数の外壁材が幅方向へ並ぶとともに、それら外壁材の上端部が建築物の天井部分に所定の連結手段を介して連結固定され、それら外壁材の下端部が建築物の基礎部分に所定の連結手段を介して連結固定され、建築物の２階以上の部分では、複数の鉄筋トラス構造材が幅方向へ並んだ状態で連結され、それら鉄筋トラス構造材の上端部が建築物の天井部分に所定の連結手段を介して連結固定されているとともに、それら鉄筋トラス構造材の下端部が建築物の床部分に所定の連結手段を介して連結固定され、複数の内壁材が幅方向へ並ぶとともに、それら内壁材の上端部が建築物の天井部分に所定の連結手段を介して連結固定され、それら内壁材の下端部が建築物の床部分に所定の連結手段を介して連結固定され、複数の外壁材が幅方向へ並ぶとともに、それら外壁材の上端部が建築物の天井部分に所定の連結手段を介して連結固定され、それら外壁材の下端部が建築物の床部分に所定の連結手段を介して連結固定されていることにある。
【０００９】
前記第１の特徴を有する壁鉄筋構造物の一例として、建築物の１階部分では、幅方向へ並ぶそれら鉄筋トラス構造材の上端部と幅方向へ並ぶそれら内壁材の上端部と幅方向へ並ぶそれら外壁材の上端部とが天井部分において所定の連結手段を介して互いに連結され、建築物の２階以上の部分では、幅方向へ並ぶそれら鉄筋トラス構造材の下端部と幅方向へ並ぶそれら内壁材の下端部と幅方向へ並ぶそれら外壁材の下端部とが床部分において所定の連結手段を介して互いに連結され、幅方向へ並ぶそれら鉄筋トラス構造材の上端部と幅方向へ並ぶそれら内壁材の上端部と幅方向へ並ぶそれら外壁材の上端部とが天井部分において所定の連結手段を介して互いに連結されている。
【００１０】
前記第１の特徴を有する壁鉄筋構造物の他の一例としては、鉄筋トラス構造材が、上下方向へ延びる両側縁部及び幅方向へ延びる両端縁部を有する所定面積の金属ベースと、金属ベースの前面に設置固定され、金属ベースの両端縁部の間に位置して上下方向へ延びる少なくとも１つの鉄筋トラスとから形成され、金属ベースが、その両側縁部の間に幅方向へ所定間隔離間して形成されて上下方向へ延びるとともに金属ベースの前面から前方へ凸となる複数の凸条を有し、鉄筋トラスが、金属ベースの前面から前方へ離間して上下方向へ延びる上端筋と、金属ベースの前面と前記上端筋との間に位置して上下方向へ延びる一対の下端筋と、金属ベースの前面と上端筋との間で前後方向へ波状に曲折を繰り返しながら上下方向へ延びる一対の第１及び第２ラチス筋とから形成され、ラチス筋の上端凸部が、上端筋に溶接固定され、ラチス筋の中間部が、下端筋に溶接固定され、ラチス筋の下端凹部が、凸条に溶接固定され、建築物の１階部分では、鉄筋トラスの上端筋の下端部と下端筋の下端部と第１及び第２ラチス筋の下端部とのうちの少なくとも１つが基礎部分の基礎鉄筋に連結固定され、鉄筋トラスの上端筋の上端部と下端筋の上端部と第１及び第２ラチス筋の上端部とのうちの少なくとも１つが天井部分に連結固定され、建築物の２階以上の部分では、鉄筋トラスの上端筋の下端部と下端筋の下端部と第１及び第２ラチス筋の下端部とのうちの少なくとも１つが床部分に連結固定され、鉄筋トラスの上端筋の上端部と下端筋の上端部と第１及び第２ラチス筋の上端部とのうちの少なくとも１つが天井部分に連結固定されている。
【００１１】
前記第１の特徴を有する壁鉄筋構造物の他の一例としては、鉄筋トラスの第１及び第２ラチス筋の下方凹部が、金属ベースの前面と並行するように幅方向外方へ屈曲して金属ベースの凸条の２箇所に当接する屈曲部分を有し、屈曲部分が、凸条の２箇所に溶接固定されている。
【００１２】
前記第１の特徴を有する壁鉄筋構造物の他の一例として、壁鉄筋構造物では、それら鉄筋トラス構造材の金属ベースとそれら外壁材との間に断熱空間が画成され、断熱空間に所定の断熱材が収容されている。
【００１３】
前記第１の特徴を有する壁鉄筋構造物の他の一例としては、断熱材が、チップ状に成形され、チップ状の複数の断熱材が、断熱空間に密集状態で収容されている。
【００１４】
前記第１の特徴を有する壁鉄筋構造物の他の一例としては、内壁材を貫通する貫通孔が、内壁材の上端部のうちの断熱空間に位置する部分と内壁材の下端部のうちの断熱空間に位置する部分とのうちの少なくとも一方の部分に穿孔され、外壁材を貫通する貫通孔が、外壁材の上端部のうちの断熱空間に位置する部分と外壁材の下端部のうちの断熱空間に位置する部分とのうちの少なくとも一方の部分に穿孔されている。
【００１５】
前記第１の特徴を有する壁鉄筋構造物の他の一例としては、鉄筋トラス構造材の金属ベースを貫通する貫通孔が、金属ベースの上端部のうちの断熱空間に位置する部分と金属ベースの下端部のうちの断熱空間に位置する部分とのうちの少なくとも一方の部分に穿孔されている。
【００１６】
前記前提における本発明の第２の特徴は、壁鉄筋構造物が、上下方向へ延びる所定面積の第１鉄筋トラス構造材と、第１鉄筋トラス構造材に対向しつつ第１鉄筋トラス構造材の内側に位置して上下方向へ延びる所定面積の第２鉄筋トラス構造材と、第１鉄筋トラス構造材の直後に位置して上下方向へ延びる所定面積の内壁材と、第２鉄筋トラス構造材の直前に位置して上下方向へ延びる所定面積の外壁材とから形成され、建築物の１階部分では、複数の第１鉄筋トラス構造材が幅方向へ並んだ状態で連結され、複数の第２鉄筋トラス構造材が幅方向へ並んだ状態で連結され、それら第１及び第２鉄筋トラス構造材の上端部が建築物の天井部分に所定の連結手段を介して連結固定されているとともに、それら第１及び第２鉄筋トラス構造材の下端部が建築物の基礎部分に所定の連結手段を介して連結固定され、複数の内壁材が幅方向へ並ぶとともに、それら内壁材の上端部が建築物の天井部分に所定の連結手段を介して連結固定され、それら内壁材の下端部が建築物の基礎部分に所定の連結手段を介して連結固定され、複数の外壁材が幅方向へ並ぶとともに、それら外壁材の上端部が建築物の天井部分に所定の連結手段を介して連結固定され、それら外壁材の下端部が建築物の基礎部分に所定の連結手段を介して連結固定され、建築物の２階以上の部分では、複数の第１鉄筋トラス構造材が幅方向へ並んだ状態で連結され、複数の第２鉄筋トラス構造材が幅方向へ並んだ状態で連結され、それら第１及び第２鉄筋トラス構造材の上端部が建築物の天井部分に所定の連結手段を介して連結固定されているとともに、それら第１及び第２鉄筋トラス構造材の下端部が建築物の床部分に所定の連結手段を介して連結固定され、複数の内壁材が幅方向へ並ぶとともに、それら内壁材の上端部が建築物の天井部分に所定の連結手段を介して連結固定され、それら内壁材の下端部が建築物の床部分に所定の連結手段を介して連結固定され、複数の外壁材が幅方向へ並ぶとともに、それら外壁材の上端部が建築物の天井部分に所定の連結手段を介して連結固定され、それら外壁材の下端部が建築物の床部分に所定の連結手段を介して連結固定されていることにある。
【００１７】
前記第２の特徴を有する壁鉄筋構造物の一例として、建築物の１階部分では、幅方向へ並ぶそれら第１及び第２鉄筋トラス構造材の上端部と幅方向へ並ぶそれら内壁材の上端部と幅方向へ並ぶそれら外壁材の上端部とが天井部分において所定の連結手段を介して互いに連結され、建築物の２階以上の部分では、幅方向へ並ぶそれら第１及び第２鉄筋トラス構造材の下端部と幅方向へ並ぶそれら内壁材の下端部と幅方向へ並ぶそれら外壁材の下端部とが床部分において所定の連結手段を介して互いに連結され、幅方向へ並ぶそれら第１及び第２鉄筋トラス構造材の上端部と幅方向へ並ぶそれら内壁材の上端部と幅方向へ並ぶそれら外壁材の上端部とが天井部分において所定の連結手段を介して互いに連結されている。
【００１８】
前記第２の特徴を有する壁鉄筋構造物の他の一例としては、第１鉄筋トラス構造材が、上下方向へ延びる両側縁部及び幅方向へ延びる両端縁部を有する所定面積の第１金属ベースと、第１金属ベースの対向面に設置固定され、第１金属ベースの両端縁部の間に位置して上下方向へ延びる少なくとも１つの第１鉄筋トラスとから形成され、第２鉄筋トラス構造材が、上下方向へ延びる両側縁部及び幅方向へ延びる両端縁部を有する所定面積の第２金属ベースと、第２金属ベースの対向面に設置固定され、第２金属ベースの両端縁部の間に位置して上下方向へ延びる少なくとも１つの第２鉄筋トラスとから形成され、第１及び第２金属ベースが、その両側縁部の間に幅方向へ所定間隔離間して形成されて上下方向へ延びるとともに金属ベースの対向面から前方へ凸となる複数の凸条を有し、第１鉄筋トラスが、第１金属ベースの対向面から前方へ離間して上下方向へ延びる上端筋と、第１金属ベースの対向面と上端筋との間に位置して上下方向へ延びる一対の下端筋と、第１金属ベースの対向面と上端筋との間で前後方向へ波状に曲折を繰り返しながら上下方向へ延びる一対の第１及び第２ラチス筋とから形成され、第２鉄筋トラスが、第２鉄板ベースの対向面から後方へ離間して上下方向へ延びていて幅方向へ隣接する第１鉄筋トラスの間に位置する上端筋と、第２鉄板ベースと上端筋との間に位置して上下方向へ延びていて幅方向へ隣接する第１鉄筋トラスの間に位置する一対の下端筋と、幅方向へ隣接する第１鉄筋トラスの間に位置して第２鉄板ベースの対向面と前記上端筋との間で前後方向へ波状に曲折を繰り返しながら上下方向へ延びる一対の第１および第２ラチス筋とから形成され、第１および第２ラチス筋の上端凸部が、上端筋に溶接固定され、第１および第２ラチス筋の中間部が、下端筋に溶接固定され、第１および第２ラチス筋の下端凹部が、凸条に溶接固定され、建築物の１階部分では、第１および第２鉄筋トラスの上端筋の下端部と下端筋の下端部と第１及び第２ラチス筋の下端部とのうちの少なくとも１つが基礎部分の基礎鉄筋に連結固定され、第１および第２鉄筋トラスの上端筋の上端部と下端筋の上端部と第１及び第２ラチス筋の上端部とのうちの少なくとも１つが天井部分に連結固定され、建築物の２階以上の部分では、第１および第２鉄筋トラスの上端筋の下端部と下端筋の下端部と第１及び第２ラチス筋の下端部とのうちの少なくとも１つが床部分に連結固定され、第１および第２鉄筋トラスの上端筋の上端部と下端筋の上端部と第１及び第２ラチス筋の上端部とのうちの少なくとも１つが天井部分に連結固定されている。
【００１９】
前記第２の特徴を有する壁鉄筋構造物の他の一例としては、第１鉄筋トラスの第１及び第２ラチス筋の下方凹部が、第１金属ベースの対向面と並行するように幅方向外方へ屈曲して第１金属ベースの凸条の２箇所に当接する屈曲部分を有し、屈曲部分が、第１金属ベースの凸条の２箇所に溶接固定され、第２鉄筋トラスの第１及び第２ラチス筋の下方凹部が、第２金属ベースの対向面と並行するように幅方向外方へ屈曲して第２金属ベースの凸条の２箇所に当接する屈曲部分を有し、屈曲部分が、第２金属ベースの凸条の２箇所に溶接固定されている。
【００２０】
前記第２の特徴を有する壁鉄筋構造物の他の一例として、壁鉄筋構造物では、それら第１鉄筋トラス構造材の第１金属ベースの対向面とそれら第２鉄筋トラス構造材の第２金属ベースの対向面との間に断熱空間が画成され、断熱空間に所定の断熱材が収容されている。
【００２１】
前記第２の特徴を有する壁鉄筋構造物の他の一例としては、断熱材が、チップ状に成形され、チップ状の複数の断熱材が、前記断熱空間に密集状態で収容されている。
【００２２】
前記第２の特徴を有する壁鉄筋構造物の他の一例としては、内壁材を貫通する貫通孔が、内壁材の上端部のうちの断熱空間に位置する部分と内壁材の下端部のうちの断熱空間に位置する部分とのうちの少なくとも一方の部分に穿孔され、外壁材を貫通する貫通孔が、外壁材の上端部のうちの断熱空間に位置する部分と外壁材の下端部のうちの断熱空間に位置する部分とのうちの少なくとも一方の部分に穿孔されている。
【００２３】
前記第２の特徴を有する壁鉄筋構造物の他の一例としては、第１鉄筋トラス構造材の第１金属ベースを貫通する貫通孔が、第１金属ベースの上端部のうちの断熱空間に位置する部分と第１金属ベースの下端部のうちの断熱空間に位置する部分とのうちの少なくとも一方の部分に穿孔され、第２鉄筋トラス構造材の第２金属ベースを貫通する貫通孔が、第２金属ベースの上端部のうちの断熱空間に位置する部分と第２金属ベースの下端部のうちの断熱空間に位置する部分とのうちの少なくとも一方の部分に穿孔されている。
【発明の効果】
【００２４】
第１の特徴を有する本発明の壁鉄筋構造物によれば、それが上下方向へ延びる所定面積の鉄筋トラス構造材と鉄筋トラス構造材の直後に位置して上下方向へ延びる所定面積の内壁材と鉄筋トラス構造材の直前に位置して上下方向へ延びる所定面積の外壁材とから形成され、建築物の１階部分において、複数の鉄筋トラス構造材が幅方向へ並んだ状態で連結され、それら鉄筋トラス構造材の上端部が建築物の天井部分に所定の連結手段を介して連結固定されているとともに、それら鉄筋トラス構造材の下端部が建築物の基礎部分に所定の連結手段を介して連結固定され、建築物の２階以上の部分において、複数の鉄筋トラス構造材が幅方向へ並んだ状態で連結され、それら鉄筋トラス構造材の上端部が建築物の天井部分に所定の連結手段を介して連結固定されているとともに、それら鉄筋トラス構造材の下端部が建築物の床部分に所定の連結手段を介して連結固定されているから、壁鉄筋構造物材に曲げ引張力や曲げ圧縮力、せん断力が作用したとしても、それら鉄筋トラス構造材によってそれらの外力に十分に抵抗することでき、高い強度を有する頑丈な壁を備えた建築物を施工することができる。壁鉄筋構造物は、それから作られた建築物の壁が高い強度を有するから、地震による激しい揺れに十分耐えることができるとともに、津波の水圧に十分に耐えることができ、地震による建造物の倒壊を防ぐことが可能であって津波による建造物の流失を防ぐことが可能な建築物を施工することができる。また、それら鉄筋トラス構造材が不燃性であるから、火災に強い壁を備えた建築物を施工することができる。壁鉄筋構造物は、鉄筋の配筋作業や型枠の組立作業、型枠の取り外し作業をする必要はなく、短い工期で壁を構築することができるとともに、鉄筋の配筋技術や型枠の組立技術を必要とせず、鉄筋の配筋技術を備えた鉄筋工や型枠の組立技術を備えた型枠工以外の作業者でも壁を施工することができる。
【００２５】
建築物の１階部分において、幅方向へ並ぶそれら鉄筋トラス構造材の上端部と幅方向へ並ぶそれら内壁材の上端部と幅方向へ並ぶそれら外壁材の上端部とが天井部分において所定の連結手段を介して互いに連結され、建築物の２階以上の部分において、幅方向へ並ぶそれら鉄筋トラス構造材の下端部と幅方向へ並ぶそれら内壁材の下端部と幅方向へ並ぶそれら外壁材の下端部とが床部分において所定の連結手段を介して互いに連結され、幅方向へ並ぶそれら鉄筋トラス構造材の上端部と幅方向へ並ぶそれら内壁材の上端部と幅方向へ並ぶそれら外壁材の上端部とが天井部分において所定の連結手段を介して互いに連結されている壁鉄筋構造物は、鉄筋トラス構造材と内壁材と外壁材とが連結手段によって互いに連結されることで、壁鉄筋構造物材に曲げ引張力や曲げ圧縮力、せん断力が作用したとしても、それら鉄筋トラス構造材やそれら内壁材、それら外壁材によってそれらの外力に十分に抵抗することでき、高い強度を有する頑丈な壁を備えた建築物を施工することができる。壁鉄筋構造物は、それから作られた建築物の壁が高い強度を有するから、地震による激しい揺れに十分耐えることができるとともに、津波の水圧に十分に耐えることができ、地震による建造物の倒壊を防ぐことが可能であって津波による建造物の流失を防ぐことが可能な建築物を施工することができる。
【００２６】
鉄筋トラス構造材が上下方向へ延びる両側縁部及び幅方向へ延びる両端縁部を有する所定面積の金属ベースと金属ベースの前面に設置固定されて金属ベースの両端縁部の間に位置して上下方向へ延びる少なくとも１つの鉄筋トラスとから形成され、金属ベースがその両側縁部の間に幅方向へ所定間隔離間して形成されて上下方向へ延びるとともに金属ベースの上面から上方へ凸となる複数の凸条を有し、鉄筋トラスが、金属ベースの前面から前方へ離間して上下方向へ延びる上端筋と、金属ベースの前面と上端筋との間に位置して上下方向へ延びる一対の下端筋と、金属ベースの前面と上端筋との間で前後方向へ波状に曲折を繰り返しながら上下方向へ延びる一対の第１及び第２ラチス筋とから形成され、ラチス筋の上端凸部が上端筋に溶接固定され、ラチス筋の中間部が下端筋に溶接固定され、ラチス筋の下端凹部が凸条に溶接固定され、建築物の１階部分において、鉄筋トラスの上端筋の下端部と下端筋の下端部と第１及び第２ラチス筋の下端部とのうちの少なくとも１つが基礎部分の基礎鉄筋に連結固定され、鉄筋トラスの上端筋の上端部と下端筋の上端部と第１及び第２ラチス筋の上端部とのうちの少なくとも１つが天井部分に連結固定され、建築物の２階以上の部分において、鉄筋トラスの上端筋の下端部と下端筋の下端部と第１及び第２ラチス筋の下端部とのうちの少なくとも１つが床部分に連結固定され、鉄筋トラスの上端筋の上端部と下端筋の上端部と第１及び第２ラチス筋の上端部とのうちの少なくとも１つが天井部分に連結固定されている壁鉄筋構造物は、鉄筋トラス構造材が金属ベースと鉄筋トラスとから形成され、鉄筋トラスが上下方向へ延びる上端筋と上下方向へ延びる一対の下端筋と波状に曲折を繰り返しながら上下方向へ延びる一対の第１及び第２ラチス筋とから形成されているから、それら鉄筋トラス構造材が高い強度を備え、壁鉄筋構造物材に曲げ引張力や曲げ圧縮力、せん断力が作用したとしても、それら鉄筋トラス構造材によってそれらの外力に十分に抵抗することでき、高い強度を有する頑丈な壁を備えた建築物を施工することができる。壁鉄筋構造物は、上端筋や一対の下端筋、一対の第１及び第２ラチス筋から形成された鉄筋トラス及び金属ベースを有する鉄筋トラス構造材から作られた建築物の壁が高い強度を有するから、地震による激しい揺れに十分耐えることができるとともに、津波の水圧に十分に耐えることができ、地震による建造物の倒壊を防ぐことが可能であって津波による建造物の流失を防ぐことが可能な建築物を施工することができる。
【００２７】
鉄筋トラスの第１及び第２ラチス筋の下方凹部が金属ベースの前面と並行するように幅方向外方へ屈曲して金属ベースの凸条の２箇所に当接する屈曲部分を有し、屈曲部分が凸条の２箇所に溶接固定されている壁鉄筋構造物は、第１及び第２ラチス筋の屈曲部分が凸条の２箇所に溶接固定されているから、鉄筋トラス構造材に曲げ引張力や曲げ圧縮力、せん断力が作用したとしても、金属ベースと第１及び第２ラチス筋とが不用意に分離することはなく、鉄筋トラス構造材の強度が維持され、それら鉄筋トラス構造材によって曲げ引張力や曲げ圧縮力、せん断力に十分に抵抗することでき、高い強度を有する頑丈な壁を備えた建築物を施工することができる。壁鉄筋構造物は、上端筋や一対の下端筋、一対の第１及び第２ラチス筋から形成された鉄筋トラスと第１及び第２ラチス筋の下方凹部の屈曲部分が溶接固定された金属ベースとを有する鉄筋トラス構造材から作られた建築物の壁が高い強度を有するから、地震による激しい揺れに十分耐えることができるとともに、津波の水圧に十分に耐えることができ、地震による建造物の倒壊を防ぐことが可能であって津波による建造物の流失を防ぐことが可能な建築物を施工することができる。
【００２８】
それら鉄筋トラス構造材の金属ベースとそれら外壁材との間に断熱空間が画成され、断熱空間に所定の断熱材が収容されている壁鉄筋構造物は、それら鉄筋トラス構造材の金属ベースとそれら外壁材との間に画成された断熱空間に断熱材が収容されることで、壁鉄筋構造物によって作られた壁が優れた断熱性能を有するから、高気密、高断熱の壁を備えた建築物を施工することができ、冷暖房効率が高い建築物を施工することができる。壁鉄筋構造物は、それ自体が断熱機能を有するから、断熱材を別途設置するための断熱材施工工事を省くことができ、断熱材施工工事のための手間やコストを省くことができる。
【００２９】
断熱材がチップ状に成形され、チップ状の複数の断熱材が断熱空間に密集状態で収容されている壁鉄筋構造物は、それら鉄筋トラス構造材の金属ベースとそれら外壁材との間に画成された断熱空間にチップ状の複数の断熱材が密集状態で収容されることで、壁鉄筋構造物によって作られた壁が優れた断熱性能を有するから、高気密、高断熱の壁を備えた建築物を施工することができ、冷暖房効率が高い建築物を施工することができる。壁鉄筋構造物は、チップ状の複数の断熱材を断熱空間に収容することで、壁鉄筋構造物自体が断熱機能を有するから、断熱材を別途設置するための断熱材施工工事を省くことができ、断熱材施工工事のための手間やコストを省くことができる。
【００３０】
内壁材を貫通する貫通孔が内壁材の上端部のうちの断熱空間に位置する部分と内壁材の下端部のうちの断熱空間に位置する部分とのうちの少なくとも一方の部分に穿孔され、外壁材を貫通する貫通孔が外壁材の上端部のうちの断熱空間に位置する部分と外壁材の下端部のうちの断熱空間に位置する部分とのうちの少なくとも一方の部分に穿孔されている壁鉄筋構造物は、貫通孔を内壁材及び外壁材の上下端部の断熱空間に位置する部分に穿孔することにより、建築物の内部の空気が内壁材や外壁材の貫通孔から断熱空間を通って建築物の外部に排気され、建築物の外部の空気が内壁材や外壁材の貫通孔から断熱空間を通って建築物の内部に給気されるから、建築物の外部に建築物の内部の汚れた空気を内壁材や外壁材の貫通孔及び断熱空間を介して排出することができ、建築物の内部に新鮮な外気を内壁材や外壁材の貫通孔及び断熱空間を介して取り入れることができる。壁鉄筋構造物は、断熱空間を空気が通流するから、断熱空間が高湿度になることはなく、断熱空間（建築物）における結露の発生を防ぐことができるとともに、断熱空間（建築物）におけるカビや雑菌の発生を防ぐことができる。
【００３１】
鉄筋トラス構造材の金属ベースを貫通する貫通孔が金属ベースの上端部のうちの断熱空間に位置する部分と金属ベースの下端部のうちの断熱空間に位置する部分とのうちの少なくとも一方の部分に穿孔されている壁鉄筋構造物は、貫通孔を鉄筋トラス構造材の金属ベースの上下端部の断熱空間に位置する部分に穿孔することにより、建築物の内部の空気が内壁材や外壁材の貫通孔、金属ベースの貫通孔、断熱空間を通って建築物の外部に排気され、建築物の外部の空気が内壁材や外壁材の貫通孔、金属ベースの貫通孔、断熱空間を通って建築物の内部に給気されるから、建築物の外部に建築物の内部の汚れた空気を内壁材や外壁材の貫通孔、金属ベースの貫通孔、断熱空間を介して排出することができ、建築物の内部に新鮮な外気を内壁材や外壁材の貫通孔、金属ベースの貫通孔、断熱空間を介して取り入れることができる。壁鉄筋構造物は、断熱空間を空気が通流するから、断熱空間が高湿度になることはなく、断熱空間（建築物）における結露の発生を防ぐことができるとともに、断熱空間（建築物）におけるカビや雑菌の発生を防ぐことができる。
【００３２】
第２の特徴を有する本発明の壁鉄筋構造物によれば、それが上下方向へ延びる所定面積の第１鉄筋トラス構造材と第１鉄筋トラス構造材に対向しつつ第１鉄筋トラス構造材の内側に位置して上下方向へ延びる所定面積の第２鉄筋トラス構造材と第１鉄筋トラス構造材の直後に位置して上下方向へ延びる所定面積の内壁材と第２鉄筋トラス構造材の直前に位置して上下方向へ延びる所定面積の外壁材とから形成され、建築物の１階部分において、複数の第１鉄筋トラス構造材が幅方向へ並んだ状態で連結され、複数の第２鉄筋トラス構造材が幅方向へ並んだ状態で連結され、それら第１及び第２鉄筋トラス構造材の上端部が建築物の天井部分に所定の連結手段を介して連結固定されているとともに、それら第１及び第２鉄筋トラス構造材の下端部が建築物の基礎部分に所定の連結手段を介して連結固定され、建築物の２階以上の部分において、複数の第１鉄筋トラス構造材が幅方向へ並んだ状態で連結され、複数の第２鉄筋トラス構造材が幅方向へ並んだ状態で連結され、それら第１及び第２鉄筋トラス構造材の上端部が建築物の天井部分に所定の連結手段を介して連結固定されているとともに、それら第１及び第２鉄筋トラス構造材の下端部が建築物の床部分に所定の連結手段を介して連結固定されているから、壁鉄筋構造物材に曲げ引張力や曲げ圧縮力、せん断力が作用したとしても、それら第１及び第２鉄筋トラス構造材によってそれらの外力に十分に抵抗することでき、高い強度を有する頑丈な壁を備えた建築物を施工することができる。壁鉄筋構造物は、それから作られた建築物の壁が高い強度を有するから、地震による激しい揺れに十分耐えることができるとともに、津波の水圧に十分に耐えることができ、地震による建造物の倒壊を防ぐことが可能であって津波による建造物の流失を防ぐことが可能な建築物を施工することができる。また、それら第１及び第２鉄筋トラス構造材が不燃性であるから、火災に強い壁を備えた建築物を施工することができる。壁鉄筋構造物は、鉄筋の配筋作業や型枠の組立作業、型枠の取り外し作業をする必要はなく、短い工期で壁を構築することができるとともに、鉄筋の配筋技術や型枠の組立技術を必要とせず、鉄筋の配筋技術を備えた鉄筋工や型枠の組立技術を備えた型枠工以外の作業者でも壁を施工することができる。
【００３３】
建築物の１階部分において、幅方向へ並ぶそれら第１及び第２鉄筋トラス構造材の上端部と幅方向へ並ぶそれら内壁材の上端部と幅方向へ並ぶそれら外壁材の上端部とが天井部分において所定の連結手段を介して互いに連結され、建築物の２階以上の部分において、幅方向へ並ぶそれら第１及び第２鉄筋トラス構造材の下端部と幅方向へ並ぶそれら内壁材の下端部と幅方向へ並ぶそれら外壁材の下端部とが床部分において所定の連結手段を介して互いに連結され、幅方向へ並ぶそれら第１及び第２鉄筋トラス構造材の上端部と幅方向へ並ぶそれら内壁材の上端部と幅方向へ並ぶそれら外壁材の上端部とが天井部分において所定の連結手段を介して互いに連結されている壁鉄筋構造物は、第１及び第２鉄筋トラス構造材と内壁材と外壁材とが連結手段によって互いに連結されることで、壁鉄筋構造物材に曲げ引張力や曲げ圧縮力、せん断力が作用したとしても、それら第１及び第２鉄筋トラス構造材やそれら内壁材、それら外壁材によってそれらの外力に十分に抵抗することでき、高い強度を有する頑丈な壁を備えた建築物を施工することができる。壁鉄筋構造物は、それから作られた建築物の壁が高い強度を有するから、地震による激しい揺れに十分耐えることができるとともに、津波の水圧に十分に耐えることができ、地震による建造物の倒壊を防ぐことが可能であって津波による建造物の流失を防ぐことが可能な建築物を施工することができる。
【００３４】
第１鉄筋トラス構造材が上下方向へ延びる両側縁部及び幅方向へ延びる両端縁部を有する所定面積の第１金属ベースと第１金属ベースの対向面に設置固定されて第１金属ベースの両端縁部の間に位置して上下方向へ延びる少なくとも１つの第１鉄筋トラスとから形成され、第２鉄筋トラス構造材が上下方向へ延びる両側縁部及び幅方向へ延びる両端縁部を有する所定面積の第２金属ベースと第２金属ベースの対向面に設置固定されて第２金属ベースの両端縁部の間に位置して上下方向へ延びる少なくとも１つの第２鉄筋トラスとから形成され、第１及び第２金属ベースがその両側縁部の間に幅方向へ所定間隔離間して形成されて上下方向へ延びるとともに金属ベースの対向面から前後方向へ凸となる複数の凸条を有し、第１鉄筋トラスが、第１金属ベースの対向面から前方へ離間して上下方向へ延びる上端筋と、第１金属ベースの対向面と上端筋との間に位置して上下方向へ延びる一対の下端筋と、第１金属ベースの対向面と上端筋との間で前後方向へ波状に曲折を繰り返しながら上下方向へ延びる一対の第１及び第２ラチス筋とから形成され、第２鉄筋トラスが、第２鉄板ベースの対向面から後方へ離間して上下方向へ延びていて幅方向へ隣接する第１鉄筋トラスの間に位置する上端筋と、第２鉄板ベースと上端筋との間に位置して上下方向へ延びていて幅方向へ隣接する第１鉄筋トラスの間に位置する一対の下端筋と、幅方向へ隣接する第１鉄筋トラスの間に位置して第２鉄板ベースの対向面と上端筋との間で前後方向へ波状に曲折を繰り返しながら上下方向へ延びる一対の第１および第２ラチス筋とから形成され、第１および第２ラチス筋の上端凸部が上端筋に溶接固定され、第１および第２ラチス筋の中間部が下端筋に溶接固定され、第１および第２ラチス筋の下端凹部が凸条に溶接固定され、建築物の１階部分において、第１および第２鉄筋トラスの上端筋の下端部と下端筋の下端部と第１及び第２ラチス筋の下端部とのうちの少なくとも１つが基礎部分の基礎鉄筋に連結固定され、第１および第２鉄筋トラスの上端筋の上端部と下端筋の上端部と第１及び第２ラチス筋の上端部とのうちの少なくとも１つが天井部分に連結固定され、建築物の２階以上の部分において、第１および第２鉄筋トラスの上端筋の下端部と下端筋の下端部と第１及び第２ラチス筋の下端部とのうちの少なくとも１つが床部分に連結固定され、第１および第２鉄筋トラスの上端筋の上端部と下端筋の上端部と第１及び第２ラチス筋の上端部とのうちの少なくとも１つが天井部分に連結固定されている壁鉄筋構造物は、第１鉄筋トラス構造材が第１金属ベースと第１鉄筋トラスとから形成され、第２鉄筋トラス構造材が第２金属ベースと第２鉄筋トラスとから形成されているとともに、第１及び第２鉄筋トラスが上下方向へ延びる上端筋と上下方向へ延びる一対の下端筋と波状に曲折を繰り返しながら上下方向へ延びる一対の第１及び第２ラチス筋とから形成されているから、それら第１及び第２鉄筋トラス構造材が高い強度を備え、壁鉄筋構造物材に曲げ引張力や曲げ圧縮力、せん断力が作用したとしても、それら第１及び第２鉄筋トラス構造材によってそれらの外力に十分に抵抗することでき、高い強度を有する頑丈な壁を備えた建築物を施工することができる。壁鉄筋構造物は、上端筋や一対の下端筋、一対の第１及び第２ラチス筋から形成された第１及び第２鉄筋トラス及び第１及び第２金属ベースを有する第１及び第２鉄筋トラス構造材から作られた建築物の壁が高い強度を有するから、地震による激しい揺れに十分耐えることができるとともに、津波の水圧に十分に耐えることができ、地震による建造物の倒壊を防ぐことが可能であって津波による建造物の流失を防ぐことが可能な建築物を施工することができる。
【００３５】
第１鉄筋トラスの第１及び第２ラチス筋の下方凹部が第１金属ベースの対向面と並行するように幅方向外方へ屈曲して第１金属ベースの凸条の２箇所に当接する屈曲部分を有し、屈曲部分が第１金属ベースの凸条の２箇所に溶接固定され、第２鉄筋トラスの第１及び第２ラチス筋の下方凹部が第２金属ベースの対向面と並行するように幅方向外方へ屈曲して第２金属ベースの凸条の２箇所に当接する屈曲部分を有し、屈曲部分が第２金属ベースの凸条の２箇所に溶接固定されている壁鉄筋構造物は、第１及び第２ラチス筋の屈曲部分が第１及び第２金属ベースの凸条の２箇所に溶接固定されているから、第１及び第２鉄筋トラス構造材に曲げ引張力や曲げ圧縮力、せん断力が作用したとしても、第１及び第２金属ベースと第１及び第２ラチス筋とが不用意に分離することはなく、第１及び第２鉄筋トラス構造材の強度が維持され、それら第１及び第２鉄筋トラス構造材によって曲げ引張力や曲げ圧縮力、せん断力に十分に抵抗することでき、高い強度を有する頑丈な壁を備えた建築物を施工することができる。壁鉄筋構造物は、上端筋や一対の下端筋、一対の第１及び第２ラチス筋から形成された第１及び第２鉄筋トラスと第１及び第２ラチス筋の下方凹部の屈曲部分が溶接固定された第１及び第２金属ベースとを有する第１及び第２鉄筋トラス構造材から作られた建築物の壁が高い強度を有するから、地震による激しい揺れに十分耐えることができるとともに、津波の水圧に十分に耐えることができ、地震による建造物の倒壊を防ぐことが可能であって津波による建造物の流失を防ぐことが可能な建築物を施工することができる。
【００３６】
それら第１鉄筋トラス構造材の第１金属ベースの対向面とそれら第２鉄筋トラス構造材の第２金属ベースの対向面との間に断熱空間が画成され、断熱空間に所定の断熱材が収容されている壁鉄筋構造物は、それら第１鉄筋トラス構造材の第１金属ベースの対向面とそれら第２鉄筋トラス構造材の第２金属ベースの対向面との間に画成された断熱空間に断熱材が収容されることで、壁鉄筋構造物によって作られた壁が優れた断熱性能を有するから、高気密、高断熱の壁を備えた建築物を施工することができ、冷暖房効率が高い建築物を施工することができる。壁鉄筋構造物は、それ自体が断熱機能を有するから、断熱材を別途設置するための断熱材施工工事を省くことができ、断熱材施工工事のための手間やコストを省くことができる。
【００３７】
断熱材がチップ状に成形され、チップ状の複数の断熱材が断熱空間に密集状態で収容されている壁鉄筋構造物は、それら第１鉄筋トラス構造材の第１金属ベースの対向面とそれら第２鉄筋トラス構造材の第２金属ベースの対向面との間に画成された断熱空間にチップ状の複数の断熱材が密集状態で収容されることで、壁鉄筋構造物によって作られた壁が優れた断熱性能を有するから、高気密、高断熱の壁を備えた建築物を施工することができ、冷暖房効率が高い建築物を施工することができる。壁鉄筋構造物は、チップ状の複数の断熱材を断熱空間に収容することで、壁鉄筋構造物自体が断熱機能を有するから、断熱材を別途設置するための断熱材施工工事を省くことができ、断熱材施工工事のための手間やコストを省くことができる。
【００３８】
内壁材を貫通する貫通孔が内壁材の上端部のうちの断熱空間に位置する部分と内壁材の下端部のうちの断熱空間に位置する部分（建築物の室内に露出する部分）とのうちの少なくとも一方の部分に穿孔され、外壁材を貫通する貫通孔が外壁材の上端部のうちの断熱空間に位置する部分（建築物の室外に露出する部分）と外壁材の下端部のうちの断熱空間に位置する部分とのうちの少なくとも一方の部分に穿孔されている壁鉄筋構造物は、貫通孔を内壁材及び外壁材の上下端部の断熱空間に位置する部分に穿孔することにより、建築物の内部の空気が内壁材や外壁材の貫通孔から断熱空間を通って建築物の外部に排気され、建築物の外部の空気が内壁材や外壁材の貫通孔から断熱空間を通って建築物の内部に給気されるから、建築物の外部に建築物の内部の汚れた空気を内壁材や外壁材の貫通孔及び断熱空間を介して排出することができ、建築物の内部に新鮮な外気を内壁材や外壁材の貫通孔及び断熱空間を介して取り入れることができる。壁鉄筋構造物は、断熱空間を空気が通流するから、断熱空間が高湿度になることはなく、断熱空間（建築物）における結露の発生を防ぐことができるとともに、断熱空間（建築物）におけるカビや雑菌の発生を防ぐことができる。
【００３９】
第１鉄筋トラス構造材の第１金属ベースを貫通する貫通孔が第１金属ベースの上端部のうちの断熱空間に位置する部分と第１金属ベースの下端部のうちの断熱空間に位置する部分とのうちの少なくとも一方の部分に穿孔され、第２鉄筋トラス構造材の第２金属ベースを貫通する貫通孔が第２金属ベースの上端部のうちの断熱空間に位置する部分と第２金属ベースの下端部のうちの断熱空間に位置する部分とのうちの少なくとも一方の部分に穿孔されている壁鉄筋構造物は、貫通孔を第１鉄筋トラス構造材の第１金属ベースの上下端部の断熱空間に位置する部分に穿孔するとともに、貫通孔を第２鉄筋トラス構造材の第２金属ベースの上下端部の断熱空間に位置する部分に穿孔することにより、建築物の内部の空気が内壁材や外壁材の貫通孔、第１及び第２金属ベースの貫通孔、断熱空間を通って建築物の外部に排気され、建築物の外部の空気が内壁材や外壁材の貫通孔、第１及び第２金属ベースの貫通孔、断熱空間を通って建築物の内部に給気されるから、建築物の外部に建築物の内部の汚れた空気を内壁材や外壁材の貫通孔、第１及び第２金属ベースの貫通孔、断熱空間を介して排出することができ、建築物の内部に新鮮な外気を内壁材や外壁材の貫通孔、第１及び第２金属ベースの貫通孔、断熱空間を介して取り入れることができる。壁鉄筋構造物は、断熱空間を空気が通流するから、断熱空間が高湿度になることはなく、断熱空間（建築物）における結露の発生を防ぐことができるとともに、断熱空間（建築物）におけるカビや雑菌の発生を防ぐことができる。
【図面の簡単な説明】
【００４０】
【図１】壁鉄筋構造物を形成する鉄筋トラス構造材の一例を示す斜視図。
【図２】鉄筋トラス構造材の正面図。
【図３】一例として示す壁鉄筋構造物の部分破断拡大正面図。
【図４】一例として示す壁鉄筋構造物の部分破断拡大背面図。
【図５】建築物の１階部分における壁鉄筋構造物の側面図。
【図６】建築物の２階以上の部分における壁鉄筋構造物の側面図。
【図７】他の一例として示す壁鉄筋構造物の部分破断拡大正面図。
【図８】他の一例として示す壁鉄筋構造物の部分破断拡大背面図。
【図９】建築物の１階部分における壁鉄筋構造物の側面図。
【図１０】建築物の２階以上の部分における壁鉄筋構造物の側面図。
【図１１】建築物の１階部分における壁鉄筋構造物と天井鉄筋構造物との側面図。
【図１２】建築物の２階以上の部分における壁鉄筋構造物と天井鉄筋構造物との側面図。
【図１３】建築物の１階部分における他の一例として示す壁鉄筋構造物と天井鉄筋構造物との側面図。
【図１４】建築物の２階以上の部分における他の一例として示す壁鉄筋構造物と天井鉄筋構造物との側面図。
【発明を実施するための形態】
【００４１】
壁鉄筋構造物１０Ａを形成する鉄筋トラス構造材１１の一例を示す斜視図である図１等の添付の図面を参照し、本発明に係る壁鉄筋構造物の詳細を説明すると、以下のとおりである。なお、図２は、鉄筋トラス構造材１１の正面図であり、図３は、一例として示す壁鉄筋構造物１０Ａの部分破断拡大正面図である。図４は、一例として示す壁鉄筋構造物１０Ａの部分破断拡大背面図であり、図５は、建築物の１階部分における壁鉄筋構造物１０Ａの側面図である。図６は、建築物の２階以上の部分における壁鉄筋構造物１０Ａの側面図である。
【００４２】
図１，２では、上下方向を矢印Ｘ（図１のみ）、前後方向を矢印Ｙで示し、幅方向を矢印Ｚで示す。壁鉄筋構造物１０Ａ（壁鉄筋構造物１０Ｂを含む）は、２階以上（好ましくは、３階建て以上）の建築物（戸建て住宅や集合住宅、低層階ビル、中層階ビル、倉庫、車庫等）の壁の構築に使用される。建築物（建築物の躯体）は、壁鉄筋構造物１０Ａと基礎部分１２と天井スラブ１３（天井部分）と床スラブ１４（床部分）とから構築されている。
【００４３】
壁鉄筋構造物１０Ａは、上下方向へ延びる所定面積の鉄筋トラス構造材１１と、鉄筋トラス構造材１１の直後に位置して上下方向へ延びる所定面積の内壁材１５と、鉄筋トラス構造材１１の直前に位置して上下方向へ延びる所定面積の外壁材１６とから形成されている。鉄筋トラス構造材１１は、上下方向へ延びる所定面積の金属ベース１７と、金属ベース１７の前面１８に設置固定された複数の鉄筋トラス１９とから形成されている。
【００４４】
金属ベース１７は、厚みが１〜３ｍｍの鉄板であり、その平面形状が上下方向へ長い矩形（長方形）に成形されている。金属ベース１７は、外壁材１６に対向する略フラット（略平坦）な前面１８と内壁材１５に対向する略フラット（略平坦）な後面２０とを有するとともに、上下方向へ延びる両側部２１，２２と幅方向へ延びる上下端部２３，２４とを有する。金属ベース１７の両側部２１，２２の間には、幅方向へ所定間隔離間して上下方向へ延びるとともに金属ベース１７の前面１８から前後方向（前方）へ凸となる複数の凸条２５（縦条）が形成されている。それら凸条２５は、金属ベース１７（鉄板）を折り曲げることから作られている。
【００４５】
建築物の壁の側部又は両側部に位置する金属ベース１７の上端部２３のうちの後記する断熱空間５１に位置する部分及び建築物の壁の側部又は両側部に位置する金属ベース１７の下端部２４のうちの後記する断熱空間５１に位置する部分には、金属ベース１７を貫通する貫通孔２６（空気孔）が穿孔されている。なお、金属ベース１７を貫通する貫通孔２６が建築物の壁の側部又は両側部に位置する金属ベース１７の上端部２３の断熱空間５１に位置する部分と下端部２４の断熱空間５１に位置する部分と中央部との少なくとも１箇所に穿孔されていればよい。
【００４６】
金属ベース１７の一方の側部２１には、第１係合部２７（フック）が作られ、金属ベース１７の他方の側部２２には、第２係合部２８（フック）が作られている。第１係合部２７は、金属ベース１７の一方の側部２１を金属ベース１７の後面２０に向かって折り曲げることから作られている。第２係合部２８は、金属ベース１７の他方の側部２２を金属ベース１７の前面１８に向かって折り曲げることから作られている。
【００４７】
各金属ベース１７（鉄板）は、一方の金属ベース１７の第１係合部２７に他方の金属ベース１７の第２係合部２８が嵌め込まれ、それら係合部２７，２８どうしが互いに係合することで、各金属ベース１７が幅方向へつながっている。それら金属ベース１７は、隣り合う金属ベース１７どうしが連結された状態で幅方向へ並んでいる。金属ベース１７の上下方向の寸法や幅方向の寸法、面積に特に制限はなく、建築物の高さや幅に応じて上下方向の寸法や幅方向の寸法、面積を自由に決定することができる。
【００４８】
それら鉄筋トラス１９は、金属ベース１７の前面１８に配置され、幅方向へ所定寸法離間しつつ幅方向へ並行して並ぶとともに、上下方向へ延びている。１つの金属ベース１７に２つの鉄筋トラス１９が配置固定されているが、１つの金属ベース１７に配置する鉄筋トラス１９の数に特に制限はなく、金属ベース１７の面積や鉄筋トラス１９の大きさ等に応じて金属ベース１７に配置する鉄筋トラス１９の数を自由に決定することができる。
【００４９】
それら鉄筋トラス１９は、１本の上端筋２９と２本（一対）の下端筋３０と２本（一対）の第１および第２ラチス筋３１，３２とから形成されている。上端筋２９は、鉄を延伸した断面略円形の鉄棒から作られ、その周面に複数の節（リブ）を有する異形金属棒（異形鉄筋）が使用されている。上端筋２９は、幅方向に隣り合う（隣接する）凸条２５の間に位置し、金属ベース１７の前面１８から前方へ所定寸法離間して上下方向へ直状に延びている。各鉄筋トラス１９において幅方向へ並ぶ上端筋２９の上下方向の長さ寸法は略同一であり、それら上端筋２９が幅方向へ所定寸法離間しつつ、幅方向へ並行して並んでいる。
【００５０】
それら下端筋３０は、鉄を延伸した断面略円形の鉄棒から作られ、その周面に複数の節（リブ）を有する異形金属棒（異形鉄筋）が使用されている。下端筋３０は、幅方向に隣り合う（隣接する）凸条２５の間に位置（凸条２５から内側へ所定寸法離間して位置）するとともに、それらラチス筋３１，３２の幅方向外方に位置し、上端筋２９の側方であって上端筋２９の幅方向両側に位置している。それら下端筋３０は、金属ベース１７の前面１８から前方へ所定寸法離間して上下方向へ直状に延びている。各鉄筋トラス１９において幅方向へ並ぶ下端筋３０の上下方向の長さ寸法は略同一であり、それら下端筋３０が幅方向へ所定寸法離間しつつ、幅方向へ並行して並んでいる。
【００５１】
第１および第２ラチス筋３１，３２は、鉄を延伸した断面略円形の鉄棒から作られ、その周面に複数の節（リブ）を有する異形金属棒（異形鉄筋）が使用されている。それらラチス筋３１，３２は、幅方向に隣り合う（隣接する）凸条２５の間に位置（凸条２５から内側へ所定寸法離間して位置）するとともに、金属ベース１７の前面１８と上端筋２９との間に位置し、前後方向へ波状に曲折（起伏）を繰り返しながら上下方向へ延びている。それらラチス筋３１，３２は、上端筋２９の側に位置する凸部３３（上端凸部）と、金属ベース１７の前面１８の側に位置する凹部３４（下端凹部）と、凸部３３および凹部３４の間において前後方向へ傾斜して延びる中間部３５とを有する。
【００５２】
第１および第２ラチス筋３１，３２の前後方向へ波状に曲折を繰り返す角度は一定であり、単位長さ（たとえば１ｍ）当たりのラチス筋３１，３２の曲折を繰り返す回数は同一である。ラチス筋３１，３２の前後方向へ波状に曲折を繰り返す角度は自由に変えることができ、その角度を調節（単位長さ当たりのラチス筋３１，３２の曲折を繰り返す回数を調節）することで、ラチス筋３１，３２の凸部３３どうしの上下方向の離間寸法を調節することができ、ラチス筋３１，３２の凹部３４どうしの上下方向の離間寸法を調節することができる。
【００５３】
第１および第２ラチス筋３１，３２は、上端筋２９を挟んで幅方向へ対称型に配置されている。したがって、幅方向に並ぶそれらラチス筋３１，３２の凸部３３どうしの位置が一致し、中間部３５どうしの位置が一致しているとともに、凹部３４どうしの位置が一致している。それらラチス筋３１，３２は、上下方向に隣り合う（隣接する）凸部３３どうしの離間寸法が等しく、凸部３３が上下方向へ等間隔で並んでいるとともに、上下方向に隣り合う（隣接する）凹部３４どうしの離間寸法が等しく、凹部３４が上下方向へ等間隔で並んでいる。
【００５４】
第１および第２ラチス筋３１，３２は、図３に示すように、金属ベース１７に対して垂直ではなく、金属ベース１７に対して所定角度で傾斜し、その凸部３３から凹部３４に向かって幅方向外方へ末広がりになっている。それらラチス筋３１，３２の傾斜角度について特に制限はなく、その傾斜角度を自由に変えることができる。それらラチス筋３１，３２の凸部３３は、凸状に折り曲げられ、前方へ向かって凸となるように曲折している。それら凸部３３（上端凸部）は、上端筋２９の周面に当接し、凸部３３のうちの上端筋２９と交差する部分（交差箇所）が上端筋２９にスポット溶接によって溶着（固定）されている。
【００５５】
第１および第２ラチス筋３１，３２の中間部３５は、下端筋３０の幅方向内方（内側）に位置し、中間部３５のうちの下端筋３０と交差当接する部分（交差箇所）が下端筋３０にスポット溶接によって溶着（固定）されている。それらラチス筋３１，３２の凹部３４（下端凹部）は、凹状に折り曲げられ、幅方向へ向かって凹となるように曲折しつつ、金属ベース１７の前面１８と並行するように幅方向外方へ折り曲げられている（幅方向外方へ屈曲している）。凹部３４は、幅方向外方へ折り曲げられて幅方向へ延びる屈曲部分３６を有する。
【００５６】
第１および第２ラチス筋３１，３２のそれら屈曲部分３６は、幅方向外方へ向かって凸となるように弧を画き、金属ベース１７の凸条２５の上に位置している。屈曲部分３６は、金属ベース１７の凸条２５と２箇所で交差当接し、凸条２５と交差する部分（交差箇所）がスポット溶接によって凸条２５に溶着（固定）されている。鉄筋トラス構造材１１では、ラチス筋３１，３２の凹部３４（下端凹部）が幅方向外方へ折り曲げられておらず、凹部３４に屈曲部分３６が作られていなくてもよい。この場合、ラチス筋３１，３２の凹部３４が凸条２５と１箇所に交差当接し、凸条２５と交差する凹部３４の部分（交差箇所）がスポット溶接によって凸条２５に溶着（固定）される。
【００５７】
上端筋３２９や下端筋３０、第１および第２ラチス筋３１，３２は、それらの太さについて特に制限はなく、施工する建築物（壁）の大きさや建築物（壁）に必要な強度等に合わせて上端筋２９や下端筋３０、ラチス筋３１，３２の太さを自由に変えることができる。上端筋２９や下端筋３０、第１および第２ラチス筋３１，３２は鉄から作られているが、鉄以外の金属から作ることもできる。また、上端筋２９や下端筋３０、ラチス筋３１，３２が鉄から作られている場合は、それらにメッキ等の防錆処理が施されていてもよい。
【００５８】
上端筋２９とラチス筋３１，３２の凸部３３（上端凸部）とのスポット溶接、下端筋３０とラチス筋３１，３２の中間部３５とのスポット溶接では、図示はしていないが、電極と移動機構とを備えた自動溶接機が使用される。自動溶接機によるスポット溶接の一例は、上端筋２９およびラチス筋３１，３２の凸部３３を各電極で挟み込み、下端筋３０およびラチス筋３１，３２の中間部３５を各電極で挟み込みつつ、それら電極で上端筋２９と凸部３３とを押圧するとともに、それら電極で下端筋３０と中間部３５とを押圧し、それら電極に所定の電流を流す（所定の電圧を印可する）。
【００５９】
それら電極から流れた電流は、上端筋２９とラチス筋３１，３２の凸部３３とに流れ、上端筋２９および凸部３３を加熱溶融するとともに、下端筋３０とラチス筋３１，３２の中間部３５とに流れ、下端筋３０および中間部３５を加熱溶融する。次に、それら電極が上端筋２９および凸部３３から離間するとともに、電極が下端筋３０および中間部３５から離間し、上端筋２９および凸部３３や下端筋３０および中間部３５が自然に冷却され、上端筋２９と凸部３３とが溶着するとともに、下端筋３０と中間部３５とが溶着する。上端筋２９と凸部３３とをスポット溶接し、下端筋３０と中間部３５とをスポット溶接することで、鉄筋トラス１９が作られる。
【００６０】
鉄板ベース１７の凸条２５とラチス筋３１，３２の凹部３４の屈曲部分３６との自動溶接機によるスポット溶接による溶接の一例は、凸条２５および屈曲部分３６を各電極で挟み込みつつ、それら電極で凸条２５と屈曲部分３６とを押圧し、それら電極に所定の電流を流す（所定の電圧を印可する）。それら電極から流れた電流は、凸条２５と屈曲部分３６とに流れ、凸条２５および屈曲部分３６を加熱溶融する。次に、それら電極が凸条２５および屈曲部分３６から離間し、凸条２５および屈曲部分３６が自然に冷却され、凸条２５と屈曲部分３６の部分（交差箇所）とが溶着する。凸条２５と屈曲部分３６とをスポット溶接することで、鉄筋トラス構造材１１が作られる。
【００６１】
内壁材１５は、所定の厚みを有する板状であり、その平面形状が上下方向へ長い矩形（長方形）に成形されている。内壁材１５は、金属ベース１７に対向する前面３７と建築物の室内に露出する後面３８とを有するとともに、上下方向へ延びる両側部３９，４０と幅方向へ延びる上下端部４１，４２とを有する。内壁材１５の面積（大きさ）や厚みについて特に制限はない。建築物の壁の側部又は両側部に位置する内壁材１５の下端部４２のうちの断熱空間５１に位置する部分（建築物の室内に露出する部分）には、内壁材１５を貫通する貫通孔４３（空気孔）が穿孔されている。なお、内壁材１５を貫通する貫通孔４３が建築物の壁の側部又は両側部に位置する内壁材１５の上端部４１の断熱空間５１に位置する部分（建築物の室内に露出する部分）と下端部４２の断熱空間５１に位置する部分（建築物の室内に露出する部分）と中央部との少なくとも１箇所に穿孔されていればよい。
【００６２】
内壁材１５には、天然木化粧合板や木目合板、プリント合板等の木質系化粧ボード、ポリエステル化粧板やメラミン化粧板、タップ樹脂化粧板、特殊樹脂化粧板等の合成樹脂系化粧ボード、石膏ボード（ＧＢ−Ｒ）や化粧石膏ボード（ＧＢ−Ｄ）、不燃積層石膏ボード（ＧＢ−ＮＣ）、化粧セラミックボード、ロックウール板等の無機質系化粧ボード、後面に所定のデザインが印刷（プリント）された表面処理鋼板やアルミ化粧ボード、ステンレス化粧ボード等の金属系化粧ボードのいずれかが使用されている。
【００６３】
また、内壁材１５には、表面材に表面処理鋼板を使用し、しん材として石膏ボード、ロックウール化粧吸音板等を張り合わせた複合ボード、表面材に表面処理鋼板を使用し、しん材として硬質プラスチックフォームを接着させた複合ボード、表面材にアルミニウム合金塗装板を使用し、しん材として石膏ボード、ロックウール化粧吸音板等を張り合わせた複合ボード、表面材にアルミニウム合金塗装板を使用し、しん材として硬質プラスチックフォームを接着させた複合ボード、表面材に塗装ステンレス鋼板を使用し、しん材として石膏ボード、ロックウール化粧吸音板などを張り合わせた複合ボード、表面材に塗装ステンレス鋼板を使用し、しん材として硬質プラスチックフォームを接着させた複合ボード等の各種の複合ボードが使用されている。なお、内壁材１５として現在使用されている素材の他、将来内壁材１５として開発される素材のすべてを使用することができる。
【００６４】
外壁材１６は、所定の厚み寸法を有する板状であり、その平面形状が上下方向へ長い矩形（長方形）に成形されている。外壁材１６は、建築物の室外に露出する前面４４と金属ベース１７に対向する後面４５とを有するとともに、上下方向へ延びる両側部４６，４７と幅方向へ延びる上下端部４８，４９とを有する。外壁材１６の面積（大きさ）や厚みについて特に制限はない。建築物の壁の側部又は両側部に位置する外壁材１６の上端部４８のうちの断熱空間５１に位置する部分（建築物の室外に露出する部分）には、外壁材１６を貫通する貫通孔５０（空気孔）が穿孔されている。なお、外壁材１６を貫通する貫通孔５０が建築物の壁の側部又は両側部に位置する外壁材１６の上端部４８のうちの断熱空間５１に位置する部分（建築物の室外に露出する部分）と下端部４９のうちの断熱空間５１に位置する部分（建築物の室外に露出する部分）と中央部との少なくとも１箇所に穿孔されていればよい。
【００６５】
外壁材１６には、窯業系サイディングボードや金属系サイディングボード、樹脂系サイディングボード、木質系サイディングボード、ＡＬＣ（軽量気泡コンクリート）、モルタル、塗壁、タイル等のいずれかが使用されている。なお、外壁材１６として現在使用されている素材の他、将来外壁材１６として開発される素材のすべてを使用することができる。
【００６６】
建築物の１階部分では、図５に示すように、複数の鉄筋トラス構造材１１が幅方向へ並んだ状態で連結され、それら鉄筋トラス構造材１１の上端部が建築物の天井部分に所定の連結手段を介して連結固定されているとともに、それら鉄筋トラス構造材１１の下端部が建築物の基礎部分１２に所定の連結手段を介して連結固定されている。具体的には、鉄筋トラス１９の上端筋２９の上端部と下端筋３０の上端部と第１及び第２ラチス筋３１，３２の上端部とが前後方向へ折り曲げられ、それらの上端部の折曲部分が既存の連結手段（各種の連結ボルト、各種のジョイント金具、各種のジョイントアングル、各種のジョイントレール、溶接等）を介して天井スラブ１３（天井部分）に連結固定され、金属ベース１７の上端部２３が既存の連結手段（各種の連結ボルト、各種のジョイント金具、各種のジョイントアングル、各種のジョイントレール、溶接等）を介して天井スラブ１３（天井部分）に連結固定されている。
【００６７】
更に、鉄筋トラス１９の上端筋２９の下端部と下端筋３０の下端部と第１及び第２ラチス筋３１，３２の下端部とが既存の連結手段（各種の連結ボルト、各種のジョイント金具、各種のジョイントアングル、各種のジョイントレール、溶接等）を介して基礎部分１２の基礎鉄筋（図示せず）に連結固定され、金属ベース１７の下端部２４が既存の連結手段（各種の連結ボルト、各種のジョイント金具、各種のジョイントアングル、各種のジョイントレール、溶接等）を介して基礎部分１２の基礎鉄筋に連結固定されている。
【００６８】
建築物の１階部分では、複数の内壁材１５が幅方向へ並ぶとともに、それら内壁材１５の上端部４１が建築物の天井スラブ１３（天井部分）に所定の連結手段を介して連結固定され、それら内壁材１５の下端部４２が建築物の基礎部分１２に所定の連結手段を介して連結固定されている。具体的には、それら内壁材１５の側部３９，４０どうしが既存の連結手段（各種の連結ボルト、各種のジョイント金具、各種のジョイントアングル、各種のジョイントレール等）を介して連結固定され、内壁材１５の上端部４１が既存の連結手段（各種の連結ボルト、各種のジョイント金具、各種のジョイントアングル、各種のジョイントレール等）を介して天井スラブ１３（天井部分）に連結固定されているとともに、内壁材１５の下端部４２が既存の連結手段（各種の連結ボルト、各種のジョイント金具、各種のジョイントアングル、各種のジョイントレール等）を介して建築物の基礎部分１２に連結固定されている。なお、内壁材１５の前面３７が鉄筋トラス構造材１１の金属ベース１７の後面２０から後方へわずかに離間しているが、内壁材１５の前面３７が金属ベース１７の後面２０に当接していてもよい。
【００６９】
建築物の１階部分では、複数の外壁材１６が幅方向へ並ぶとともに、それら外壁材１６の上端部４８が建築物の天井スラブ１３（天井部分）に所定の連結手段を介して連結固定され、それら外壁材１６の下端部４９が建築物の基礎部分１２に所定の連結手段を介して連結固定されている。具体的には、それら外壁材１６の側部４６，４７どうしが既存の連結手段（各種の連結ボルト、各種のジョイント金具、各種のジョイントアングル、各種のジョイントレール等）を介して連結固定され、外壁材１６の上端部４８が既存の連結手段（各種の連結ボルト、各種のジョイント金具、各種のジョイントアングル、各種のジョイントレール等）を介して天井スラブ１３（天井部分）に連結固定されているとともに、外壁材１６の下端部４９が既存の連結手段（各種の連結ボルト、各種のジョイント金具、各種のジョイントアングル、各種のジョイントレール等）を介して建築物の基礎部分１２に連結固定されている。なお、外壁材１６の後面４５が鉄筋トラス構造材１１のラチス筋３１，３２から前方へわずかに離間しているが、外壁材１６の後面４５がラチス筋３１，３２に当接していてもよい。
【００７０】
建築物の１階部分では、幅方向へ並ぶそれら鉄筋トラス構造材１１の上端部と幅方向へ並ぶそれら内壁材１５の上端部４１と幅方向へ並ぶそれら外壁材１６の上端部４８とが天井スラブ１３（天井部分）において所定の連結手段を介して互いに連結されている。具体的には、鉄筋トラス１９の上端筋２９の上端部と下端筋３０の上端部と第１及び第２ラチス筋３１，３２の上端部と金属ベース１７の上端部２３と内壁材１５の上端部４１と外壁材１６の上端部４８とが天井スラブ１３（天井部分）において既存の連結手段（各種の連結ボルト、各種のジョイント金具、各種のジョイントアングル、各種のジョイントレール等）を介して互いに連結されている。
【００７１】
建築物の２階以上の部分では、図６に示すように、複数の鉄筋トラス構造材１１が幅方向へ並んだ状態で連結され、それら鉄筋トラス構造材１１の上端部が建築物の天井スラブ１３（天井部分）に所定の連結手段を介して連結固定されているとともに、それら鉄筋トラス構造材１１の下端部が建築物の床スラブ１４（床部分）（１階の天井スラブ１３又は２階以上の天井スラブ１３）に所定の連結手段を介して連結固定されている。
【００７２】
具体的には、鉄筋トラス１９の上端筋２９の上端部と下端筋３０の上端部と第１及び第２ラチス筋３１，３２の上端部とが前後方向へ折り曲げられ、それらの上端部の折曲部分が既存の連結手段（各種の連結ボルト、各種のジョイント金具、各種のジョイントアングル、各種のジョイントレール、溶接等）を介して天井スラブ１３（天井部分）に連結固定され、金属ベース１７の上端部２３が既存の連結手段（各種の連結ボルト、各種のジョイント金具、各種のジョイントアングル、各種のジョイントレール、溶接等）を介して天井スラブ１３（天井部分）に連結固定されている。
【００７３】
更に、鉄筋トラス１９の上端筋２９の下端部と下端筋３０の下端部と第１及び第２ラチス筋３１，３２の下端部とが既存の連結手段（各種の連結ボルト、各種のジョイント金具、各種のジョイントアングル、各種のジョイントレール、溶接等）を介して床スラブ１４（床部分）に連結固定され、金属ベース１７の下端部２４が既存の連結手段（各種の連結ボルト、各種のジョイント金具、各種のジョイントアングル、各種のジョイントレール、溶接等）を介して床スラブ１４（床部分）に連結固定されている。
【００７４】
建築物の２階以上の部分では、複数の内壁材１５が幅方向へ並ぶとともに、それら内壁材１５の上端部４１が建築物の天井スラブ１３（天井部分）に所定の連結手段を介して連結固定され、それら内壁材１５の下端部４２が建築物の床スラブ１４（床部分）（１階の天井スラブ１３又は２階以上の天井スラブ１３）に所定の連結手段を介して連結固定されている。
【００７５】
具体的には、それら内壁材１５の側部どうしが既存の連結手段（各種の連結ボルト、各種のジョイント金具、各種のジョイントレール等）を介して連結固定され、内壁材１５の上端部４１が既存の連結手段（各種の連結ボルト、各種のジョイント金具、各種のジョイントアングル、各種のジョイントレール等）を介して天井スラブ１３（天井部分）に連結固定されているとともに、内壁材１５の下端部４２が既存の連結手段（各種の連結ボルト、各種のジョイント金具、各種のジョイントアングル、各種のジョイントレール等）を介して建築物の床スラブ１４（床部分）に連結固定されている。なお、内壁材１５の前面３７が鉄筋トラス構造材１１の金属ベース１７の後面２０から後方へわずかに離間しているが、内壁材１５の前面３７が金属ベース１７の後面２０に当接していてもよい。
【００７６】
建築物の２階以上の部分では、複数の外壁材１６が幅方向へ並ぶとともに、それら外壁材１６の上端部４８が建築物の天井スラブ１３（天井部分）に所定の連結手段を介して連結固定され、それら外壁材１６の下端部４９が床スラブ１４（床部分）（１階の天井スラブ１３又は２階以上の天井スラブ１３）に所定の連結手段を介して連結固定されている。
【００７７】
具体的には、それら外壁材１６の側部４６，４７どうしが既存の連結手段（各種の連結ボルト、各種のジョイント金具、各種のジョイントアングル、各種のジョイントレール等）を介して連結固定され、外壁材１６の上端部４８が既存の連結手段（各種の連結ボルト、各種のジョイント金具、各種のジョイントアングル、各種のジョイントレール等）を介して天井スラブ１３（天井部分）に連結固定されているとともに、外壁材１６の下端部４９が既存の連結手段（各種の連結ボルト、各種のジョイント金具、各種のジョイントアングル、各種のジョイントレール等）を介して建築物の床スラブ１４（床部分）に連結固定されている。なお、外壁材１６の後面４５が鉄筋トラス構造材１１のラチス筋３１，３２から前方へわずかに離間しているが、外壁材１６の後面４５がラチス筋３１，３２に当接していてもよい。
【００７８】
建築物の２階以上の部分では、幅方向へ並ぶそれら鉄筋トラス構造材１１の上端部と幅方向へ並ぶそれら内壁材１５の上端部４１と幅方向へ並ぶそれら外壁材１６の上端部４８とが天井スラブ１３（天井部分）において所定の連結手段を介して互いに連結され、幅方向へ並ぶそれら鉄筋トラス構造材１１の下端部と幅方向へ並ぶそれら内壁材１５の下端部４２と幅方向へ並ぶそれら外壁材１６の下端部４９とが床スラブ１４（床部分）（１階の天井スラブ１３又は２階以上の天井スラブ１３）において所定の連結手段を介して互いに連結されている。
【００７９】
具体的には、鉄筋トラス１９の上端筋２９の上端部と下端筋３０の上端部と第１及び第２ラチス筋３１，３２の上端部と金属ベース１７の上端部２３と内壁材１５の上端部４１と外壁材１６の上端部４８とが既存の連結手段（各種の連結ボルト、各種のジョイント金具、各種のジョイントアングル、各種のジョイントレール等）を介して互いに連結され、鉄筋トラス１９の上端筋２９の下端部と下端筋３０の下端部と第１及び第２ラチス筋３１，３２の下端部と金属ベース１７の下端部２４と内壁材１５の下端部４２と外壁材１６の下端部４９とが既存の連結手段（各種の連結ボルト、各種のジョイント金具、各種のジョイントアングル、各種のジョイントレール等）を介して互いに連結されている。
【００８０】
建築物の壁（壁鉄筋構造物）においてそれら鉄筋トラス構造材１１の金属ベース１７とそれら外壁材１６との間には、所定容積の断熱空間５１が画成されている。断熱空間５１の全域には、チップ状の複数の断熱材５２が密集状態で収容されている。なお、断熱材５２としては、チップ状の押出発泡ポリスチレンフォーム（スタイロフォーム）（発泡プラスチック）やチップ状のビーズ法発泡ポリスチレンフォーム（発泡プラスチック）が使用されている。断熱材５２には、ポリプロピレンフォーム、ウレタンフォーム、フェノールフォーム、ＰＥＴ樹脂発泡体等（発泡プラスチック）、グラスウール、ロックウール、セルロースファイバー、羊毛断熱材を使用することもできる。
【００８１】
壁鉄筋構造物１０Ａは、それら鉄筋トラス構造材１１の金属ベース１７とそれら外壁材１６との間に画成された断熱空間５１にチップ状の複数の断熱材５２が密集状態で収容されることで、壁鉄筋構造物１０Ａによって作られた壁が優れた断熱性能を有するから、高気密、高断熱の壁を備えた建築物を施工することができ、冷暖房効率が高い建築物を施工することができる。壁鉄筋構造物１０Ａは、チップ状の複数の断熱材５２を断熱空間５１の全域に収容することで、壁鉄筋構造物１０Ａ自体が断熱機能を有するから、断熱材を別途設置するための断熱材施工工事を省くことができ、断熱材施工工事のための手間やコストを省くことができる。
【００８２】
壁鉄筋構造物１０Ａでは、内壁材１６に穿孔された貫通孔４３（空気孔）が金属ベース１７の後面２０（断熱空間５１）と建築物の室内とに連通し、金属ベース１７に穿孔された貫通孔２６（空気孔）が内壁材１６の前面３７と断熱空間５１とに連通し、外壁材１６に穿孔された貫通孔５０（空気孔）が断熱空間５１と建築物の室外とに連通している。室内の空気は、内壁材１６の貫通孔４３及び金属ベース１７の貫通孔２６を通って断熱空間５１に流入し、断熱空間５１から外壁材１６の貫通孔５０を通って室外に排気される。また、室外の空気（外気）は、外壁材１６の貫通孔５０を通って断熱空間５１に流入し、断熱空間５１から金属ベース１７の貫通孔２６及び内壁材１５の貫通孔４３を通って室内に給気される。
【００８３】
壁鉄筋構造物１０Ａは、貫通孔４３を内壁材１５の下端部４２の断熱空間５１に位置する部分、外壁材１６の上端部４８の断熱空間５１に位置する部分、金属ベース１７の上下端部２３，２４の断熱空間５１に位置する部分に穿孔することにより、建築物の内部の空気が内壁材１５や外壁材１６の貫通孔４３，５０、金属ベース１７の貫通孔２６、断熱空間５１（壁）を通って建築物の外部に排気され、建築物の外部の空気が内壁材１５や外壁材１６の貫通４３，５０孔、金属ベース１７の貫通孔２６、断熱空間５１（壁）を通って建築物の内部に給気されるから、建築物の外部に建築物の内部の汚れた空気を内壁材１５や外壁材１６の貫通孔４３，５０、金属ベース１７の貫通孔２６、断熱空間５１（壁）を介して排出することができ、建築物の内部に新鮮な外気を内壁材１５や外壁材１６の貫通孔４３，５０、金属ベース１７の貫通孔２６、断熱空間５１（壁）を介して取り入れることができる。壁鉄筋構造物１０Ａは、壁（壁鉄筋構造物１０Ａに画成された断熱空間５１を空気が通流するから、断熱空間５１（壁）が高湿度になることはなく、断熱空間５１における結露の発生を防ぐことができるとともに、断熱空間５１におけるカビや雑菌の発生を防ぐことができる。
【００８４】
壁鉄筋構造物１０Ａは、それが上下方向へ延びる所定面積の鉄筋トラス構造材１１と鉄筋トラス構造材１１の直後に位置して上下方向へ延びる所定面積の内壁材１５と鉄筋トラス構造材１１の直前に位置して上下方向へ延びる所定面積の外壁材１６とから形成され、建築物の１階部分において、複数の鉄筋トラス構造材１１が幅方向へ並んだ状態で連結され、それら鉄筋トラス構造材１１の上端部（鉄筋トラス１９１上端筋２９の上端部、下端筋３０の上端部、第１及び第２ラチス筋３１，３２の上端部、金属ベース１７の上端部２３）が建築物の天井スラブ１３（天井部分）に所定の連結手段を介して連結固定されているとともに、それら鉄筋トラス構造材１１の下端部（鉄筋トラス１９の上端筋２９の下端部、下端筋３０の下端部、第１及び第２ラチス筋３１，３２の下端部、金属ベース１７の下端部２４）が建築物の基礎部分１２に所定の連結手段を介して連結固定され、建築物の２階以上の部分において、複数の鉄筋トラス構造材１１が幅方向へ並んだ状態で連結され、それら鉄筋トラス構造材１１の上端部（鉄筋トラス１９の上端筋２９の上端部、下端筋３０の上端部、第１及び第２ラチス筋３１，３２の上端部、金属ベース１７の上端部２３）が建築物の天井スラブ１３（天井部分）に所定の連結手段を介して連結固定されているとともに、それら鉄筋トラス構造材１１の下端部（鉄筋トラス１９の上端筋２９の下端部、下端筋３０の下端部、第１及び第２ラチス筋３１，３２の下端部、金属ベース１７の下端部２４）が建築物の床スラブ１４（床部分）に所定の連結手段を介して連結固定され、更に、鉄筋トラス構造材１１と内壁材１５と外壁材１６とが連結手段によって互いに連結されているから、壁鉄筋構造物材１０Ａに曲げ引張力や曲げ圧縮力、せん断力が作用したとしても、それら鉄筋トラス構造材１１やそれら内壁材１５、それら外壁材１６によってそれらの外力に十分に抵抗することでき、高い強度を有する頑丈な壁を備えた建築物を施工することができる。
【００８５】
壁鉄筋構造物１０Ａは、それから作られた建築物の壁が高い強度を有するから、地震による激しい揺れに十分耐えることができるとともに、津波の水圧に十分に耐えることができ、地震による建造物の倒壊を防ぐことが可能であって津波による建造物の流失を防ぐことが可能な建築物を施工することができる。また、それら鉄筋トラス構造材１１が不燃性であるから、火災に強い壁を備えた建築物を施工することができる。壁鉄筋構造物１０Ａは、鉄筋の配筋作業や型枠の組立作業、型枠の取り外し作業をする必要はなく、短い工期で壁を構築することができるとともに、鉄筋の配筋技術や型枠の組立技術を必要とせず、鉄筋の配筋技術を備えた鉄筋工や型枠の組立技術を備えた型枠工以外の作業者でも壁を施工することができる。
【００８６】
図７は、他の一例として示す壁鉄筋構造物１０Ｂの部分破断拡大正面図であり、図８は、他の一例として示す壁鉄筋構造物１０Ｂの部分破断拡大背面図である。図９は、建築物の１階部分における壁鉄筋構造物１０Ｂの側面図であり、図１０は、建築物の２階以上の部分における壁鉄筋構造物１０Ｂの側面図である。建築物（建築物の躯体）は、壁鉄筋構造物１０Ｂと基礎部分１２と天井スラブ１３（天井部分）と床スラブ１４（床部分）とから構築されている。
【００８７】
壁鉄筋構造物１０Ｂは、上下方向へ延びる所定面積の第１鉄筋トラス構造材１１ａと、第１鉄筋トラス構造材１１ａに対向しつつ第１鉄筋トラス構造材１１ａの内側に位置して上下方向へ延びる所定面積の第２鉄筋トラス構造材１１ｂと、第１鉄筋トラス構造材１１ａの直後に位置して上下方向へ延びる所定面積の内壁材１５と、第２鉄筋トラス構造材１１ｂの直後に位置して上下方向へ延びる所定面積の外壁材１６とから形成されている。
【００８８】
第１鉄筋トラス構造材１１ａは、上下方向へ延びる所定面積の第１金属ベース１７ａ（鉄板）と、第１金属ベース１７ａの対向面１８（前面）に設置固定された複数の第１鉄筋トラス１９ａとから形成されている。第１金属ベース１７ａは、第２鉄筋トラス構造材１１ｂに対向する略フラット（略平坦）な対向面１８（前面）と内壁材１５に対向する略フラット（略平坦）な非対向面２０（後面）とを有するとともに、上下方向へ延びる両側部２１，２２と幅方向へ延びる上下端部２３，２４とを有する。第１金属ベース１７ａの両側部２１，２２の間には、幅方向へ所定間隔離間して上下方向へ延びるとともに第１金属ベース１７ａの対向面１８（前面）から前後方向（前方）へ凸となる複数の凸条２５（縦条）が形成されている。
【００８９】
建築物の壁の側部又は両側部に位置する第１金属ベース１７ａの下端部２４のうちの断熱空間５１に位置する部分には、第１金属ベース１７ａを貫通する貫通孔２６（空気孔）が穿孔されている。なお、第１金属ベース１７ａを貫通する貫通孔２６が建築物の壁の側部又は両側部に位置する第１金属ベース１７ａの上端部２３の断熱空間５１に位置する部分と下端部２４の断熱空間５１に位置する部分と中央部との少なくとも１箇所に穿孔されていればよい。各第１金属ベース１７ａ（鉄板）は、一方の第１金属ベース１７ａの第１係合部２７（フック）に他方の第１金属ベース１７ａの第２係合部２８（フック）が嵌め込まれ、それら係合部２７，２８どうし（フックどうし）が互いに係合することで、各第１金属ベース１７ａが幅方向へつながっている。それら第１金属ベース１７ａは、隣り合う第１金属ベース１７ａどうしが連結された状態で幅方向へ並んでいる。
【００９０】
それら第１鉄筋トラス１９ａは、第１金属ベース１７ａの対向面１８（前面）に配置され、幅方向へ所定寸法離間しつつ幅方向へ並行して並ぶとともに、上下方向へ延びている。第１鉄筋トラス１９ａは、１本の上端筋２９と２本（一対）の下端筋３０と２本（一対）の第１および第２ラチス筋３１，３２とから形成されている。上端筋２９や下端筋３０、第１および第２ラチス筋３１，３２は、図１の鉄筋トラス構造材１１の鉄筋トラス１９のそれらと同一である。第１および第２ラチス筋３１，３２のそれら屈曲部分３６は、第１金属ベース１７ａの凸条２５と２箇所で交差当接し、凸条２５と交差する部分（交差箇所）がスポット溶接によって凸条２５に溶着（固定）されている。
【００９１】
第２鉄筋トラス構造材１１ｂ、上下方向へ延びる所定面積の第２金属ベース１７ｂ（鉄板）と、第２金属ベース１７ｂの対向面２０（後面）に設置固定された複数の第２鉄筋トラス１９ｂとから形成されている。第２金属ベース１７ｂは、第１鉄筋トラス構造材１１ａに対向する略フラット（略平坦）な対向面２０（後面）と外壁材１６に対向する略フラット（略平坦）な非対向面１８（前面）とを有するとともに、上下方向へ延びる両側部２１，２２と幅方向へ延びる上下端部２３，２４とを有する。第２金属ベース１７ｂの両側部２１，２２の間には、幅方向へ所定間隔離間して上下方向へ延びるとともに第２金属ベース１７ｂの対向面２０（後面）から前後方向（後方）へ凸となる複数の凸条２５（縦条）が形成されている。
【００９２】
建築物の壁の側部又は両側部に位置する第２金属ベース１７ｂの上端部２３のうちの断熱空間５１に位置する部分には、第２金属ベース１７ｂを貫通する貫通孔２６（空気孔）が穿孔されている。なお、第２金属ベース１７ｂを貫通する貫通孔２６が建築物の壁の側部又は両側部に位置する第２金属ベース１７ｂの上端部２３の断熱空間５１に位置する部分と下端部２４の断熱空間５１に位置する部分と中央部との少なくとも１箇所に穿孔されていればよい。各第２金属ベース１７ｂ（鉄板）は、一方の第２金属ベース１７ｂの第１係合部２８（フック）に他方の第２金属ベース１７ｂの第２係合部２９（フック）が嵌め込まれ、それら係合部２７，２８どうし（フックどうし）が互いに係合することで、各第２金属ベース１７ｂが幅方向へつながっている。それら第２金属ベース１７ｂは、隣り合う第２金属ベース１７ｂどうしが連結された状態で幅方向へ並んでいる。
【００９３】
それら第２鉄筋トラス１９ｂは、第２金属ベース１７ｂの対向面２０（後面）に配置され、幅方向へ所定寸法離間しつつ幅方向へ並行して並ぶとともに、上下方向へ延びている。第２鉄筋トラス１９ｂは、１本の上端筋２９と２本（一対）の下端筋３０と２本（一対）の第１および第２ラチス筋３１，３２とから形成されている。上端筋２９や下端筋３０、第１および第２ラチス筋３１，３２は、図１の鉄筋トラス構造材１１の鉄筋トラス１９のそれらと同一である。第１および第２ラチス筋３１，３２のそれら屈曲部分３６は、第２金属ベース１７ｂの凸条２５と２箇所で交差当接し、凸条２５と交差する部分（交差箇所）がスポット溶接によって凸条２５に溶着（固定）されている。
【００９４】
内壁材１５は、図１のそれと同一であり、建築物の室内に露出する。内壁材１５は、第１金属ベース１７ａに対向する前面３７と建築物の室内に露出する後面３８とを有するとともに、上下方向へ延びる両側部３９，４０と幅方向へ延びる上下端部４１，４２とを有する。建築物の壁の側部又は両側部に位置する内壁材１５の下端部４２のうちの断熱空間５１に位置する部分（建築物の室内に露出する部分）には、内壁材１５を貫通する貫通孔４３（空気孔）が穿孔されている。
【００９５】
外壁材１６は、図１のそれと同一であり、建築物の外側に露出する。外壁材１６は、第２金属ベース１７ｂに対向する後面４５と建築物の室外に露出する前面４４とを有するとともに、上下方向へ延びる両側部４６，４７と幅方向へ延びる上下端部４８，４９とを有する。建築物の壁の側部又は両側部に位置する外壁材１６の上端部４８のうちの断熱空間５１に位置する部分（建築物の室外に露出する部分）には、外壁材１６を貫通する貫通孔５０（空気孔）が穿孔されている。
【００９６】
建築物の１階部分では、図９に示すように、複数の第１鉄筋トラス構造材１１ａが幅方向へ並んだ状態で連結され、ｎ第１鉄筋トラス構造材１１ａに対向して複数の第２鉄筋トラス構造材１１ｂが幅方向へ並んだ状態で連結され、それら第１及び第２鉄筋トラス構造材１１ａ，１１ｂの上端部が建築物の天井スラブ１３（天井部分）に所定の連結手段を介して連結固定されているとともに、それら第１及び第２鉄筋トラス構造材１１ａ，１１ｂの下端部が建築物の基礎部分１２に所定の連結手段を介して連結固定されている。
【００９７】
具体的には、第１及び第２鉄筋トラス１９ａ，１９ｂの上端筋２９の上端部と下端筋３０の上端部と第１及び第２ラチス筋３１，３２の上端部とが前後方向へ折り曲げられ、それらの上端部の折曲部分が既存の連結手段（各種の連結ボルト、各種のジョイント金具、各種のジョイントアングル、各種のジョイントレール、溶接等）を介して天井スラブ１３（天井部分）に連結固定され、第１及び第２金属ベース１７ａ，１７ｂの上端部が既存の連結手段（各種の連結ボルト、各種のジョイント金具、各種のジョイントアングル、各種のジョイントレール、溶接等）を介して天井スラブ１３（天井部分）に連結固定されている。
【００９８】
更に、第１及び第２鉄筋トラス１９ａ，１９ｂの上端筋２９の下端部と下端筋３０の下端部と第１及び第２ラチス筋３１，３２の下端部とが既存の連結手段（各種の連結ボルト、各種のジョイント金具、各種のジョイントアングル、各種のジョイントレール、溶接等）を介して基礎部分１２の基礎鉄筋に連結固定され、第１及び第２金属ベース１７ａ，１７ｂの下端部２４が既存の連結手段（各種の連結ボルト、各種のジョイント金具、各種のジョイントアングル、各種のジョイントレール、溶接等）を介して基礎部分１２の基礎鉄筋に連結固定されている。
【００９９】
建築物の１階部分におけるそれら内壁材１５の連結は、図１の内壁材１５のそれと同一である。内壁材１５の前面３７が第１鉄筋トラス構造材１１ａの第１金属ベース１７ａの非対向面２０（後面）から後方へわずかに離間しているが、内壁材１５の前面３７が第１金属ベース１７ａの非対向面２０に当接していてもよい。建築物の１階部分におけるそれら外壁材１６の連結は、図１の外壁材１６のそれと同一である。外壁材１６の後面４５が第２鉄筋トラス構造材１１ｂの第２金属ベース１７ｂの非対向面１８（前面）から前方へわずかに離間しているが、外壁材１６の後面４５が第２金属ベース１７ｂの非対向面１８に当接していてもよい。
【０１００】
建築物の１階部分では、幅方向へ並ぶそれら第１及び第２鉄筋トラス構造材１１ａ，１１ｂの上端部と幅方向へ並ぶそれら内壁材１５の上端部と幅方向へ並ぶそれら外壁材１６の上端部とが天井スラブ１３（天井部分）において所定の連結手段を介して互いに連結されている。具体的には、第１及び第２鉄筋トラス１９ａ，１９ｂの上端筋２９の上端部と下端筋３０の上端部と第１及び第２ラチス筋３１，３２の上端部と第１及び第２金属ベース１７ａ，１７ｂの上端部と内壁材１５の上端部４１と外壁材１６の上端部４８とが天井スラブ１３（天井部分）において既存の連結手段（各種の連結ボルト、各種のジョイント金具、各種のジョイントアングル、各種のジョイントレール、溶接等）を介して互いに連結されている。
【０１０１】
建築物の２階以上の部分では、図１０に示すように、複数の第１鉄筋トラス構造材１１ａが幅方向へ並んだ状態で連結され、複数の第２鉄筋トラス構造材１１ｂが幅方向へ並んだ状態で連結され、それら第１及び第２鉄筋トラス構造材１１ａ，１１ｂの上端部が建築物の天井スラブ１３（天井部分）に所定の連結手段を介して連結固定されているとともに、それら第１及び第２鉄筋トラス構造材１１ａ，１１ｂの下端部が建築物の床スラブ１４（床部分）（１階の天井スラブ１３又は２階以上の天井スラブ１３）に所定の連結手段を介して連結固定されている。
【０１０２】
具体的には、第１及び第２鉄筋トラス１９ａ，１９ｂの上端筋２９の上端部と下端筋３０の上端部と第１及び第２ラチス筋３１，３２の上端部とが前後方向へ折り曲げられ、それらの上端部の折曲部分が既存の連結手段（各種の連結ボルト、各種のジョイント金具、各種のジョイントアングル、各種のジョイントレール、溶接等）を介して天井スラブ１３（天井部分）に連結固定され、第１及び第２金属ベース１７ａ，１７ｂの上端部２３が既存の連結手段（各種の連結ボルト、各種のジョイント金具、各種のジョイントアングル、各種のジョイントレール、溶接等）を介して天井スラブ１３（天井部分）に連結固定されている。
【０１０３】
更に、第１及び第２鉄筋トラス１９ａ，１９ｂの上端筋２９の下端部と下端筋３０の下端部と第１及び第２ラチス筋３１，３２の下端部とが既存の連結手段（各種の連結ボルト、各種のジョイント金具、各種のジョイントアングル、各種のジョイントレール、溶接等）を介して床スラブ１４（床部分）に連結固定され、第１及び第２金属ベース１７ａ，１７ｂの下端部２４が既存の連結手段（各種の連結ボルト、各種のジョイント金具、各種のジョイントアングル、各種のジョイントレール、溶接等）を介して床スラブ１４（床部分）に連結固定されている。
【０１０４】
建築物の２階以上の部分におけるそれら内壁材１５の連結は、図１の内壁材１５のそれと同一である。内壁材１５の前面３７が第１鉄筋トラス構造材１１ａの第１金属ベース１７ａの非対向面２０（後面）から後方へわずかに離間しているが、内壁材１５の前面３７が第１金属ベース１７ａの非対向面２０に当接していてもよい。建築物の２階以上の部分におけるそれら外壁材１６の連結は、図１の外壁材１６のそれと同一である。外壁材１６の後面４５が第２鉄筋トラス構造材１１ｂの第２金属ベース１７ｂの非対向面１８（前面）から前方へわずかに離間しているが、外壁材１６の後面４５が第２金属ベース１７ｂの非対向面１８に当接していてもよい。
【０１０５】
建築物の２階以上の部分では、幅方向へ並ぶそれら第１及び第２鉄筋トラス構造材１１ａ，１１ｂの下端部と幅方向へ並ぶそれら内壁材１５の下端部４２と幅方向へ並ぶそれら外壁材１６の下端部４９とが床部分（１階の天井部分又は２階以上の天井部分）において所定の連結手段を介して互いに連結されている。具体的には、第１及び第２鉄筋トラス１９ａ，１９ｂの上端筋２９の下端部と下端筋３０の下端部と第１及び第２ラチス筋３１，３２の下端部と第１及び第２金属ベース１７ａ，１７ｂの下端部２４と内壁材１５の下端部４２と外壁材１６の下端部４９とが床スラブ１４（床部分）において既存の連結手段（各種の連結ボルト、各種のジョイント金具、各種のジョイントアングル、各種のジョイントレール、溶接等）を介して互いに連結されている。
【０１０６】
建築物の２階以上の部分では、幅方向へ並ぶそれら第１及び第２鉄筋トラス構造材１１ａ，１１ｂの上端部と幅方向へ並ぶそれら内壁材１５の上端部４１と幅方向へ並ぶそれら外壁材１６の上端部４８とが天井スラブ１３（天井部分）において所定の連結手段を介して互いに連結されている。具体的には、第１及び第２鉄筋トラス１９ａ，１９ｂの上端筋２９の上端部と下端筋３０の上端部と第１及び第２ラチス筋３１，３２の上端部と第１及び第２金属ベース１７ａ，１７ｂの上端部と内壁材１５の上端部４１と外壁材１６の上端部４８とが天井スラブ１３（天井部分）において既存の連結手段（各種の連結ボルト、各種のジョイント金具、各種のジョイントアングル、各種のジョイントレール、溶接等）を介して互いに連結されている。
【０１０７】
建築物の１階部分及び２階以上の部分では、第１鉄筋トラス構造材１１ａと第２鉄筋トラス構造材１１ｂとが前後方向へ対向し、第１鉄筋トラス１９ａの間に第２鉄筋トラス１９ｂが位置し、第２鉄筋トラス１９ｂの間に第１鉄筋トラス１１ａが位置している。第１鉄筋トラス１１ａの上端筋２９は、第２金属ベース１７ｂと第２鉄筋トラス１９ｂの下端筋３０との間に位置するとともに、幅方向へ隣り合う（隣接する）第２鉄筋トラス１９ｂの第１ラチス筋と第２ラチス筋３１，３２との間に位置し、第２鉄筋トラス１９ｂの第１及び第２ラチス筋３１，３２に対向している。第１鉄筋トラス１９ａの上端筋２９は、第２金属ベース１７ｂの対向面２０から後方に離間している。
【０１０８】
第１鉄筋トラス１９ａの下端筋３０は、幅方向へ隣り合う（隣接する）第２鉄筋トラス１９ｂの第１ラチス筋３１と第２ラチス筋３２との間に位置し、第２鉄筋トラス１９ｂの第１及び第２ラチス筋３１，３２に対向している。第１鉄筋トラス１９ａの第１ラチス筋３１は、幅方向へ隣り合う（隣接する）第２鉄筋トラス１９ｂの第１ラチス筋３１と第２ラチス筋３２との間に位置し、第２鉄筋トラス１９ｂの第１及び第２ラチス筋３１，３２に対向している。第１鉄筋トラス１９ａの第２ラチス筋３２は、幅方向へ隣り合う（隣接する）第２鉄筋トラス１９ｂの第１ラチス筋３１と第２ラチス筋３２との間に位置し、第２鉄筋トラス１９ｂの第１及び第２ラチス筋３１，３２に対向している。
【０１０９】
第２鉄筋トラス１９ｂの上端筋２９は、第１金属ベース１７ａと第１鉄筋トラス１９ａの下端筋３０との間に位置するとともに、幅方向へ隣り合う（隣接する）第１鉄筋トラス１９ａの第１ラチス筋３１と第２ラチス筋３２との間に位置し、第１鉄筋トラス１９ａの第１及び第２ラチス筋３１，３２に対向している。第２鉄筋トラス１９ｂの上端筋２９は、第１金属ベース１７ａの対向面１８から前方に離間している。第２鉄筋トラス１９ｂの下端筋３０は、幅方向へ隣り合う（隣接する）第１鉄筋トラス１９ａの第１ラチス筋３１と第２ラチス筋３２との間に位置し、第１鉄筋トラス１９ａの第１及び第２ラチス筋３１，３２に対向している。第２鉄筋トラス１９ｂの第１ラチス筋３１は、幅方向へ隣り合う（隣接する）第１鉄筋トラス１９ａの第１ラチス筋３１と第２ラチス筋３２との間に位置し、第１鉄筋トラス１９ａの第１及び第２ラチス筋３１，３２に対向している。第２鉄筋トラス１９ｂの第２ラチス筋３２は、幅方向へ隣り合う（隣接する）第１鉄筋トラス１９ａの第１ラチス筋３１と第２ラチス筋３２との間に位置し、第１鉄筋トラス１９ａの第１及び第２ラチス筋３１，３２に対向している。
【０１１０】
建築物の壁（壁鉄筋構造物）においてそれら第１鉄筋トラス構造材１１ａの第１金属ベース１７ａの対向面１８とそれら第２鉄筋トラス構造材１１ｂの第２金属ベース１７ｂの対向面２０との間には、所定容積の断熱空間５１が画成されている。断熱空間５１の全域には、チップ状の複数の断熱材５２が密集状態で収容されている。断熱材５２は、図１の壁鉄筋構造物１０Ａのそれと同一である。
【０１１１】
壁鉄筋構造物１０Ｂは、それら第１鉄筋トラス構造材１１ａの第１金属ベース１７ａの対向面１８とそれら第２鉄筋トラス構造材１１ｂの第２金属ベース１７ｂの対向面２０との間に画成された断熱空間５１にチップ状の複数の断熱材５２が密集状態で収容されることで、壁鉄筋構造物１０Ｂによって作られた壁が優れた断熱性能を有するから、高気密、高断熱の壁を備えた建築物を施工することができ、冷暖房効率が高い建築物を施工することができる。壁鉄筋構造物１０Ｂは、チップ状の複数の断熱材５２を断熱空間５１の全域に収容することで、壁鉄筋構造物１０Ｂ自体が断熱機能を有するから、断熱材を別途設置するための断熱材施工工事を省くことができ、断熱材施工工事のための手間やコストを省くことができる。
【０１１２】
壁鉄筋構造物１０Ｂでは、内壁材１５に穿孔された貫通孔４３（空気孔）が第１金属ベース１７ａの非対抗面２０（断熱空間５１）と建築物の室内とに連通し、第１金属ベース１７ａに穿孔された貫通孔２６（空気孔）が内壁材１５の前面３７と断熱空間５１とに連通し、第２金属ベース１７ｂに穿孔された貫通孔２６（空気孔）が断熱空間５１と外壁材１６の後面４５とに連通しているとともに、外壁材１６に穿孔された貫通孔５０（空気孔）が第２金属ベース１７ｂの非対向面４４（断熱空間５１）と建築物の室外とに連通している。室内の空気は、内壁材１５の貫通孔４３及び第１金属ベース１７ａの貫通孔２６を通って断熱空間５１に流入し、断熱空間５１から第２金属ベース１７ｂの貫通孔２６及び外壁材１６の貫通孔５０を通って室外に排気される。また、室外の空気（外気）は、外壁材１６の貫通孔５０及び第２金属ベース１７ｂの貫通孔２６を通って断熱空間５１に流入し、断熱空間５１から第１金属ベース１７ａの貫通孔２６及び内壁材１５の貫通孔４３を通って室内に給気される。
【０１１３】
壁鉄筋構造物１０Ｂは、貫通孔４３を内壁材１５の下端部４２の断熱空間５１に位置する部分、外壁材１６の上端部４８の断熱空間５１に位置する部分、第１金属ベース１７ａの下端部２４の断熱空間５１に位置する部分、第２金属ベース１７ｂの上端部２３の断熱空間５１に位置する部分に穿孔することにより、建築物の内部の空気が内壁材１５や外壁材１６の貫通孔４３，５０、第１及び第２金属ベース１７ａ，１７ｂの貫通孔２６、断熱空間５１を通って建築物の外部に排気され、建築物の外部の空気が内壁材１６や外壁材１５の貫通孔４３，５０、第１及び第２金属ベース１７ａ，１７ｂの貫通孔２６、断熱空間５１を通って建築物の内部に給気されるから、建築物の外部に建築物の内部の汚れた空気を内壁材１５や外壁材１６の貫通孔４３，５０、第１及び第２金属ベース１７ａ．１７ｂの貫通孔２６、断熱空間５１を介して排出することができ、建築物の内部に新鮮な外気を内壁材１５や外壁材１６の貫通孔４３，５０、第１及び第２金属ベース１７ａ，１７ｂの貫通孔２６、断熱空間５１を介して取り入れることができる。壁鉄筋構造物１０Ｂは、断熱空間５１を空気が通流するから、断熱空間５１が高湿度になることはなく、断熱空間５１（建築物）における結露の発生を防ぐことができるとともに、断熱空間５１（建築物）におけるカビや雑菌の発生を防ぐことができる。
【０１１４】
壁鉄筋構造物１０Ｂは、それが上下方向へ延びる所定面積の第１鉄筋トラス構造材１１ａと第１鉄筋トラス構造材１１ａに対向しつつ第１鉄筋トラス構造材１１ａの内側に位置して上下方向へ延びる所定面積の第２鉄筋トラス構造材１１ｂと第１鉄筋トラス構造材１１ａの直後に位置して上下方向へ延びる所定面積の内壁材１５と第２鉄筋トラス構造材１１ｂの直前に位置して上下方向へ延びる所定面積の外壁材１６とから形成され、建築物の１階部分において、複数の第１鉄筋トラス構造材１１ａが幅方向へ並んだ状態で連結され、複数の第２鉄筋トラス構造材１１ｂが幅方向へ並んだ状態で連結され、それら第１及び第２鉄筋トラス構造材１１ａ，１１ｂの上端部（第１及び第２鉄筋トラス１９ａ，１９ｂの上端筋２９の上端部、下端筋３０の上端部、第１及び第２ラチス筋３１，３２の上端部、第１及び第２金属ベース１７ａ，１７ｂの上端部２３）が建築物の天井スラブ１３（天井部分）に所定の連結手段を介して連結固定されているとともに、それら第１及び第２鉄筋トラス構造材１１ａ，１１ｂの下端部（第１及び第２鉄筋トラス１９ａ，１９ｂの上端筋２９の下端部、下端筋３０の下端部、第１及び第２ラチス筋３１，３２の下端部、第１及び第２金属ベース１７ａ，１７ｂの下端部２４）が建築物の基礎部１２分に所定の連結手段を介して連結固定され、建築物の２階以上の部分において、複数の第１鉄筋トラス構造材１１ａが幅方向へ並んだ状態で連結され、複数の第２鉄筋トラス構造材１１ｂが幅方向へ並んだ状態で連結され、それら第１及び第２鉄筋トラス構造材１１ａ，１１ｂの上端部（第１及び第２鉄筋トラス１９ａ，１９ｂの上端筋２９の上端部、下端筋３０の上端部、第１及び第２ラチス筋３１，３２の上端部、第１及び第２金属ベース１７ａ，１７ｂの上端部）が建築物の天井スラブ１３（天井部分）に所定の連結手段を介して連結固定されているとともに、それら第１及び第２鉄筋トラス構造材１１ａ，１１ｂの下端部（第１及び第２鉄筋トラス１９ａ，１９ｂの上端筋２９の下端部、下端筋３０の下端部、第１及び第２ラチス筋３１，３２の下端部、第１及び第２金属ベース１７ａ，１７ｂの下端部）が建築物の床スラブ１４（床部分）に所定の連結手段を介して連結固定され、更に、第１及び第２鉄筋トラス構造材１１ａ，１１ｂと内壁材１５と外壁材１６とが連結手段によって互いに連結されているから、壁鉄筋構造物材１０Ｂに曲げ引張力や曲げ圧縮力、せん断力が作用したとしても、それら第１及び第２鉄筋トラス構造材１１ａ，１１ｂによってそれらの外力に十分に抵抗することでき、高い強度を有する頑丈な壁を備えた建築物を施工することができる。
【０１１５】
壁鉄筋構造物１０Ｂは、それから作られた建築物の壁が高い強度を有するから、地震による激しい揺れに十分耐えることができるとともに、津波の水圧に十分に耐えることができ、地震による建造物の倒壊を防ぐことが可能であって津波による建造物の流失を防ぐことが可能な建築物を施工することができる。また、それら第１及び第２鉄筋トラス構造材１１ａ，１１ｂが不燃性であるから、火災に強い壁を備えた建築物を施工することができる。壁鉄筋構造物１０Ｂは、鉄筋の配筋作業や型枠の組立作業、型枠の取り外し作業をする必要はなく、短い工期で壁を構築することができるとともに、鉄筋の配筋技術や型枠の組立技術を必要とせず、鉄筋の配筋技術を備えた鉄筋工や型枠の組立技術を備えた型枠工以外の作業者でも壁を施工することができる。
【０１１６】
図１１は、建築物の１階部分における壁鉄筋構造物１０Ａと天井鉄筋構造物５３との側面図であり、図１２は、建築物の２階以上の部分における壁鉄筋構造物１０Ａと天井鉄筋構造物５３との側面図である。建築物（建築物の躯体）は、壁鉄筋構造物１０Ａと基礎部分１２と天井鉄筋構造物５３（天井スラブ１３（天井部分）及び床スラブ１４（床部分））とから構築されている。
【０１１７】
壁鉄筋構造物１０Ａは、上下方向へ延びる所定面積の鉄筋トラス構造材１１と、鉄筋トラス構造材１１の直後に位置して上下方向へ延びる所定面積の内壁材１５と、鉄筋トラス構造材１１の直前に位置して上下方向へ延びる所定面積の外壁材１６とから形成されている。鉄筋トラス構造材１１は、上下方向へ延びる所定面積の金属ベース１７と、金属ベース１７の前面１８に設置固定された複数の鉄筋トラス１９とから形成されている。鉄筋トラス構造材１１や内壁材１５、外壁材１６は、図１の壁鉄筋構造物１０Ａのそれらと同一である。
【０１１８】
天井鉄筋構造物５３は、壁鉄筋構造物１０Ａの頂部（上）に設置（連結）され、２階以上（好ましくは、３階建て以上）の建築物（戸建て住宅や集合住宅、低層階ビル、中層階ビル、倉庫、車庫等）の天井スラブ１３（床スラブ１４）の構築に使用される。天井鉄筋構造物５３は、前後方向へ延びる所定面積の天井鉄筋トラス構造材５４と、天井鉄筋トラス構造材５４の直下に位置して前後方向へ延びる所定面積の天井仕上材５５と、天井鉄筋トラス構造材５４の直上に位置して前後方向へ延びる所定面積の床仕上材５６とから形成されている。
【０１１９】
それら天井鉄筋トラス構造材５４は、前後方向へ長く、建築物の天井に敷設されて幅方向へ並んでいる。天井鉄筋トラス構造材５４は、上下方向へ延びる所定面積の金属ベース５７（鉄板）と、金属ベース５７の上面１８（前面）に設置固定された複数の鉄筋トラス５８とから形成されている。金属ベース５７や鉄筋トラス５８は、図１の壁鉄筋構造物１０Ａを形成する鉄筋トラス構造材１１のそれらと同一であるから、それらの詳細な説明は省略する。
【０１２０】
金属ベース５７は、略フラット（略平坦）な上面１８（前面）と略フラット（略平坦）な下面２０（後面）とを有するとともに、前後方向へ延びる両側部２１，２２と幅方向へ延びる両端部２３，２４とを有する。金属ベース５７の両側部２１，２２の間には、幅方向へ所定間隔離間して前後方向へ延びる複数の凸条２５（縦条）が形成されている。
【０１２１】
建築物の壁の側に位置する金属ベース５７の両端部２３，２４には、金属ベース５７を貫通する貫通孔５９（空気孔）が穿孔されている。なお、金属ベース５７を貫通する貫通孔５９が建築物の壁の側に位置する金属ベース５７の両端部２３，２４の少なくとも一方に穿孔されていればよい。貫通孔５９は、建築物の天井（天井鉄筋構造物５３）に画成された断熱空間６０に繋がっている。各金属ベース５７（鉄板）は、一方の金属ベース５７の第１係合部２７に他方の金属ベース５７の第２係合部２８が嵌め込まれ、それら係合部２７，２８どうしが互いに係合することで、各金属ベース５７が幅方向へつながっている。
【０１２２】
それら鉄筋トラス５８は、金属ベース５７の上面１８に配置され、幅方向へ所定寸法離間しつつ幅方向へ並行して並ぶとともに、前後方向へ延びている。それら鉄筋トラス５８は、１本の上端筋２９と２本（一対）の下端筋３０と２本（一対）の第１および第２ラチス筋３１，３２とから形成されている。上端筋２９や下端筋３０、第１および第２ラチス筋３１，３２は、図１の鉄筋トラス構造材１１の鉄筋トラス１９のそれらと同一である。
【０１２３】
天井仕上材５５（天井仕上ボード）は、所定の厚み寸法及び所定の面積を有し、その平面形状が前後方向へ長い矩形（長方形）に成形されている。天井仕上材５５は、建築物の天井を構成する。天井仕上材５５は、所定の連結手段（各種の連結ボルト、各種のジョイント金具、各種のジョイントレール等）によって金属ベース５７の下面２０に連結固定されている。床仕上材５６（床仕上ボード）は、所定の厚み寸法及び所定の面積を有し、その平面形状が前後方向へ長い矩形（長方形）に成形されている。床仕上材５６は、建築物の床を構成する。床仕上材５６は、所定の連結手段（各種の連結ボルト、各種のジョイント金具、各種のジョイントレール等）によって鉄筋トラス５８に連結固定されている。天井仕上材５５（天井仕上ボード）や床仕上材５６（床仕上ボード）には、内壁材１５と同一の素材を使用することができる。
【０１２４】
建築物の１階部分におけるそれら鉄筋トラス構造材１１の下端部と建築物の基礎部分１２との連結や１階部分における内壁材１５の下端部４２と建築物の基礎部分１２との連結、１階部分における外壁材１６の下端部４９と建築物の基礎部分１２との連結、１階部分におけるそれら鉄筋トラス構造材１１の上端部とそれら内壁材１４の上端部４１とそれら外壁材１６の上端部４８との連結、１階部分におけるそれら鉄筋トラス構造材１１の下端部とそれら内壁材１５の下端部４２とそれら外壁材１６の下端部４９との連結は、図１の壁鉄筋構造物１０Ａのそれらと同一である。
【０１２５】
建築物の１階部分では、図１１に示すように、複数の鉄筋トラス構造材１１が幅方向へ並んだ状態で連結され、それら鉄筋トラス構造材１１の上端部が建築物の天井鉄筋トラス構造材５４（天井部分）に所定の連結手段を介して連結固定されている。具体的には、鉄筋トラス１９の上端筋２９の上端部と下端筋３０の上端部と第１及び第２ラチス筋３１，３２の上端部とが前後方向へ折り曲げられ、それらの上端部の折曲部分が既存の連結金具（各種の連結ボルト、各種のジョイント金具、各種のジョイントアングル、各種のジョイントレール、結束線、溶接等）を介して天井鉄筋トラス構造材５４の鉄筋トラス５８（上端筋２９や下端筋３０、第１及び第２ラチス筋３１，３２）に連結固定されている。
【０１２６】
建築物の１階部分では、複数の内壁材１５が幅方向へ並ぶとともに、それら内壁材１５の上端部４１が建築物の天井鉄筋トラス構造材５４及び天井仕上材５５に所定の連結手段を介して連結固定されている。具体的には、それら内壁材１５どうしの側部３９どうしが既存の連結金具（各種の連結ボルト、各種のジョイント金具、各種のジョイントアングル、各種のジョイントレール等）を介して連結固定され、内壁材１５の上端部４１が既存の連結金具（各種の連結ボルト、各種のジョイント金具、各種のジョイントアングル、各種のジョイントレール等）を介して天井鉄筋トラス構造材５４（天井部分）及び天井仕上材５５に連結固定されている。
【０１２７】
建築物の１階部分では、複数の外壁材１６が幅方向へ並ぶとともに、それら外壁材１６の上端部４８が建築物の天井鉄筋トラス構造材５４に所定の連結手段を介して連結固定されている。具体的には、それら外壁材１６どうしの側部４６どうしが既存の連結金具（各種の連結ボルト、各種のジョイント金具、各種のジョイントアングル、各種のジョイントレール等）を介して連結固定され、外壁材１６の上端部４８が既存の連結金具（各種の連結ボルト、各種のジョイント金具、各種のジョイントアングル、各種のジョイントレール等）を介して天井鉄筋トラス構造材５４（天井部分）に連結固定されている。
【０１２８】
建築物の２階以上の部分におけるそれら鉄筋トラス構造材１１の上端部と天井鉄筋トラス構造材５４との連結や２階以上の部分における内壁材１５の上端部４１と天井鉄筋トラス構造材５４及び天井仕上材５５との連結、２階以上の部分における外壁材１６の上端部４８と建築物の天井鉄筋トラス構造材５４との連結は、建築物の１階部分におけるそれらと同一である。２階以上の部分におけるそれら鉄筋トラス構造材１１の上端部とそれら内壁材１５の上端部４１とそれら外壁材１６の上端部４８との連結や２階以上の部分におけるそれら鉄筋トラス構造材１１の下端部とそれら内壁材１５の下端部４２とそれら外壁材１６の下端部４９との連結は、図１の壁鉄筋構造物１０Ａのそれらと同一である。
【０１２９】
建築物の２階以上の部分では、図１０に示すように、複数の鉄筋トラス構造材１１が幅方向へ並んだ状態で連結され、それら鉄筋トラス構造材１１の下端部が建築物の床部分に所定の連結手段を介して連結固定されている。具体的には、鉄筋トラス１９の上端筋２９の下端部と下端筋３０の下端部と第１及び第２ラチス筋３１，３２の下端部とが前後方向へ折り曲げられ、それらの下端部の折曲部分が既存の連結金具（各種の連結ボルト、各種のジョイント金具、各種のジョイントアングル、各種のジョイントレール、結束線、溶接等）を介して天井鉄筋トラス構造材５４の鉄筋トラス５８（上端筋２９や下端筋３０、第１及び第２ラチス筋３１，３２）に連結固定されている。
【０１３０】
建築物の２階以上の部分では、複数の内壁材１５が幅方向へ並ぶとともに、それら内壁材１５の下端部４２が天井鉄筋トラス構造材５４及び床仕上材５６に所定の連結手段を介して連結固定されている。具体的には、それら内壁材１５どうしの側部３９，４０どうしが既存の連結金具（各種の連結ボルト、各種のジョイント金具、各種のジョイントアングル、各種のジョイントレール等）を介して連結固定され、内壁材１５の下端部４２が既存の連結金具（各種の連結ボルト、各種のジョイント金具、各種のジョイントアングル、各種のジョイントレール等）を介して天井鉄筋トラス構造材５４（天井部分）及び床仕上材５６に連結固定されている。
【０１３１】
建築物の２階以上の部分では、複数の外壁材１６が幅方向へ並ぶとともに、それら外壁材１６の下端部４９が天井鉄筋トラス構造材５４に所定の連結手段を介して連結固定されている。具体的には、それら外壁材１６どうしの側部４６，４７どうしが既存の連結金具（各種の連結ボルト、各種のジョイント金具、各種のジョイントアングル、各種のジョイントレール等）を介して連結固定され、外壁材１６の下端部４９が既存の連結金具（各種の連結ボルト、各種のジョイント金具、各種のジョイントアングル、各種のジョイントレール等）を介して天井鉄筋トラス構造材５４（天井部分）に連結固定されている。
【０１３２】
建築物の壁（壁鉄筋構造物１０Ａ）においてそれら鉄筋トラス構造材１１の金属ベース１７とそれら外壁材１６との間には、所定容積の断熱空間５１が画成されている。断熱空間５１の全域には、チップ状の複数の断熱材５２が密集状態で収容されている。建築物の天井（天井鉄筋構造物５３）においてそれら天井鉄筋トラス構造材５４の金属ベース５７と床仕上材５６との間には、所定容積の断熱空間６０が画成されている。断熱空間６０の全域には、チップ状の複数の断熱材５２が密集状態で収容されている。断熱材５２は、図１の壁鉄筋構造物１０Ａのそれと同一である。
【０１３３】
壁鉄筋構造物１０Ａ及び天井鉄筋構造物５３は、それら鉄筋トラス構造材１１の金属ベース１７とそれら外壁材１６との間に画成された断熱空間５１の全域にチップ状の複数の断熱材５２が密集状態で収容されるとともに、それら天井鉄筋トラス構造材５４の金属ベース５７と床仕上材５６との間に画成された断熱空間６０の全域にチップ状の複数の断熱材５２が密集状態で収容されることで、壁鉄筋構造物１０Ａによって作られた壁や天井鉄筋構造物５３によって作られた天井（床）が優れた断熱性能を有するから、高気密、高断熱の壁を備えた建築物を施工することができ、冷暖房効率が高い建築物を施工することができる。
【０１３４】
壁鉄筋構造物１０Ａ及び天井鉄筋構造物５３は、チップ状の複数の断熱材５２を断熱空間５１，６０に収容することで、壁鉄筋構造物１０Ａ自体や天井鉄筋構造物５３自体が断熱機能を有するから、断熱材を別途設置するための断熱材施工工事を省くことができ、断熱材施工工事のための手間やコストを省くことができる。
【０１３５】
壁鉄筋構造物１０Ａでは、内壁材１５に穿孔された貫通孔４３（空気孔）が金属ベース１７の後面２０（断熱空間５１）と建築物の室内とに連通し、金属ベース１７に穿孔された貫通孔２６（空気孔）が内壁材１５の前面３７と断熱空間５１とに連通し、外壁材１６に穿孔された貫通孔５０（空気孔）が断熱空間５１と建築物の室外とに連通している。天井鉄筋構造物５３では、金属ベース５７の両端部２３，２４を貫通する貫通孔５９（空気孔）が壁鉄筋構造物１０Ａの断熱空間５１に連通している。
【０１３６】
室内の空気は、内壁材１５の貫通孔４３及び金属ベース１７の貫通孔２６を通って断熱空間５１に流入し、断熱空間５１から外壁材１６の貫通孔５０を通って室外に排気される。また、室外の空気（外気）は、外壁材１６の貫通孔５０を通って断熱空間５１に流入し、断熱空間５１から金属ベース１７の貫通孔２６及び内壁材１５の貫通孔４３を通って室内に給気される。また、空気が建築物の天井（天井鉄筋構造物５３）に画成された断熱空間６０を通流する。
【０１３７】
壁鉄筋構造物１０Ａ及び天井鉄筋構造物５３は、貫通孔４３を内壁材１５の下端部４２の断熱空間５１に位置する部分、貫通孔５０を外壁材１６の上端部４８の断熱空間５１に位置する部分、貫通孔２６を金属ベース１７の下端部２４の断熱空間５１に位置する部分、貫通孔５９金属ベース５７の両端部２３，２４に穿孔することにより、建築物の内部の空気が内壁材１５や外壁材１６の貫通孔４３，５１、それら金属ベース１７，５７の貫通孔２６，５９、断熱空間５１，６０（壁及び天井）を通って建築物の外部に排気され、建築物の外部の空気が内壁材１５や外壁材１６の貫通孔４３，５１、それら金属ベース１７，５８の貫通孔２６，５９、断熱空間５１，６０（壁及び天井）を通って建築物の内部に給気されるから、建築物の外部に建築物の内部の汚れた空気を内壁材１５や外壁材１６の貫通孔４３，５１、それら金属ベース１７，５７の貫通孔２６，５９、断熱空間５１，６０（壁及び天井）を介して排出することができ、建築物の内部に新鮮な外気を内壁材１５や外壁材１６の貫通孔４３，５１、それら金属ベース１７，５７の貫通孔２６，５９、断熱空間５１，６０（壁及び天井）を介して取り入れることができる。
【０１３８】
壁鉄筋構造物１０Ａ及び天井鉄筋構造物５３は、壁（壁鉄筋構造物１０Ａ）や天井（天井鉄筋構造物５３）に画成された断熱空間５１，６０を空気が通流するから、断熱空間５１，６０（壁や天井）が高湿度になることはなく、断熱空間５１，６０における結露の発生を防ぐことができるとともに、断熱空間５１，６０におけるカビや雑菌の発生を防ぐことができる。
【０１３９】
壁鉄筋構造物１０Ａ及び天井鉄筋構造物５３は、壁鉄筋構造物１０Ａが上下方向へ延びる所定面積の鉄筋トラス構造材１１と鉄筋トラス構造材１１の直後に位置して上下方向へ延びる所定面積の内壁材１５と鉄筋トラス構造材１１の直前に位置して上下方向へ延びる所定面積の外壁材１６とから形成され、天井鉄筋構造物５３が前後方向へ延びる所定面積の天井鉄筋トラス構造材５４と天井鉄筋トラス構造材５４の直下に位置して前後方向へ延びる所定面積の天井仕上材５５と天井鉄筋トラス構造材５４の直上に位置して前後方向へ延びる所定面積の床仕上材５６とから形成され、建築物の１階部分において、複数の鉄筋トラス構造材１１が幅方向へ並んだ状態で連結され、それら鉄筋トラス構造材１１の上端部（鉄筋トラス１９の上端筋２９の上端部、下端筋３０の上端部、第１及び第２ラチス筋の上端部３１，３２、金属ベース１７の上端部）が天井鉄筋トラス構造材５４の鉄筋トラス５８（上端筋２９や下端筋３０、第１及び第２ラチス筋３１，３２）に所定の連結手段を介して連結固定されているとともに、それら鉄筋トラス構造材１１の下端部（鉄筋トラス１９の上端筋２９の下端部、下端筋３０の下端部、第１及び第２ラチス筋３１，３２の下端部、金属ベース１７の下端部）が建築物の基礎部分１２に所定の連結手段を介して連結固定され、建築物の２階以上の部分において、複数の鉄筋トラス構造材１１が幅方向へ並んだ状態で連結され、それら鉄筋トラス構造材１１の上端部（鉄筋トラス１９の上端筋２９の上端部、下端筋３０の上端部、第１及び第２ラチス筋３１，３２の上端部、金属ベース１７の上端部）が天井鉄筋トラス構造材５４の鉄筋トラス５８（上端筋２９や下端筋３０、第１及び第２ラチス筋３１，３２）に所定の連結手段を介して連結固定されているとともに、それら鉄筋トラス構造材１１の下端部（鉄筋トラス１９の上端筋２９の下端部、下端筋３０の下端部、第１及び第２ラチス筋３１，３２の下端部、金属ベース１７の下端部）が天井鉄筋トラス構造材５４の鉄筋トラス５８（上端筋２９や下端筋３０、第１及び第２ラチス筋３１，３２）に所定の連結手段を介して連結固定され、更に、鉄筋トラス構造材１１と内壁材１５と外壁材１６とが所定の連結手段によって互いに連結されているから、壁鉄筋構造物材１０Ａや天井鉄筋構造物５３に曲げ引張力や曲げ圧縮力、せん断力が作用したとしても、それら鉄筋トラス構造材１１やそれら天井鉄筋トラス構造材５４、それら内壁材１５、それら外壁材１６によってそれらの外力に十分に抵抗することでき、高い強度を有する頑丈な壁を備えた建築物を施工することができる。
【０１４０】
壁鉄筋構造物１０Ａ及び天井鉄筋構造物５３は、それらから作られた建築物の壁や天井が高い強度を有するから、地震による激しい揺れに十分耐えることができるとともに、津波の水圧に十分に耐えることができ、地震による建造物の倒壊を防ぐことが可能であって津波による建造物の流失を防ぐことが可能な建築物を施工することができる。また、それら鉄筋トラス構造材１１やそれら天井鉄筋トラス構造材５４が不燃性であるから、火災に強い壁を備えた建築物を施工することができる。壁鉄筋構造物１０Ａ及び天井鉄筋構造物５３は、鉄筋の配筋作業や型枠の組立作業、型枠の取り外し作業をする必要はなく、短い工期で壁を構築することができるとともに、鉄筋の配筋技術や型枠の組立技術を必要とせず、鉄筋の配筋技術を備えた鉄筋工や型枠の組立技術を備えた型枠工以外の作業者でも壁を施工することができる。
【０１４１】
図１３は、建築物の１階部分における他の一例として示す壁鉄筋構造物１０Ｂと天井鉄筋構造物５３との側面図であり、図１４は、建築物の２階以上の部分における他の一例として示す壁鉄筋構造物１０Ｂと天井鉄筋構造物５３との側面図である。建築物（建築物の躯体）は、壁鉄筋構造物１０Ｂと基礎部分１２と天井鉄筋構造物５３（天井スラブ１３（天井部分）及び床スラブ１４（床部分））とから構築されている。
【０１４２】
壁鉄筋構造物１０Ｂは、上下方向へ延びる所定面積の第１鉄筋トラス構造材１１ａと、第１鉄筋トラス構造材１１ａに対向しつつ第１鉄筋トラス構造材１１ａの内側に位置して上下方向へ延びる所定面積の第２鉄筋トラス構造材１１ｂと、第１鉄筋トラス構造材１１ａの直後に位置して上下方向へ延びる所定面積の内壁材１５と、第２鉄筋トラス構造材１１ｂの直前に位置して上下方向へ延びる所定面積の外壁材１６とから形成されている。
【０１４３】
第１鉄筋トラス構造材１１ａは、上下方向へ延びる所定面積の第１金属ベース１７ａと、第１金属ベース１７ａの対向面１８（前面）に設置固定された複数の第１鉄筋トラス１９ａとから形成されている。第２鉄筋トラス構造材１１ｂは、上下方向へ延びる所定面積の第２金属ベース１７ｂと、第２金属ベース１７ｂの対向面２０（後面）に設置固定された複数の第２鉄筋トラス１９ｂとから形成されている。第１鉄筋トラス構造材１１ａや第２鉄筋トラス構造材１１ｂ、内壁材１５、外壁材１６は、図７の壁鉄筋構造物１０Ｂのそれらと同一である。
【０１４４】
天井鉄筋構造物５３は、前後方向へ延びる所定面積の天井鉄筋トラス構造材５４と、天井鉄筋トラス構造材５４の直下に位置して前後方向へ延びる所定面積の天井仕上材５５と、天井鉄筋トラス構造材５４の直上に位置して前後方向へ延びる所定面積の床仕上材５６とから形成されている。天井鉄筋トラス構造材５４は、上下方向へ延びる所定面積の金属ベース５７（鉄板）と、金属ベース５７の上面１８（前面）に設置固定された複数の鉄筋トラス５８とから形成されている。天井鉄筋トラス構造材５４や天井仕上材５５、床仕上材５６は、図１１の天井鉄筋構造物５３のそれらと同一である。
【０１４５】
建築物の１階部分におけるそれら第１及び第２鉄筋トラス構造材１１ａ，１１ｂの下端部と建築物の基礎部分１２との連結や１階部分における内壁材１５の下端部４２と建築物の基礎部分１２との連結、１階部分における外壁材１５の下端部４９と建築物の基礎部分１２との連結、１階部分におけるそれら第１及び第２鉄筋トラス構造材１ａ，１１ｂの上端部とそれら内壁材１５の上端部４１とそれら外壁材１６の上端部４８との連結、１階部分におけるそれら第１及び第２鉄筋トラス構造材１１ａ，１１ｂの下端部とそれら内壁材１５の下端部４２とそれら外壁材１６の下端部４９との連結は、図７の壁鉄筋構造物１０Ｂのそれらと同一である。
【０１４６】
建築物の１階部分では、図１３に示すように、複数の第１鉄筋トラス構造材１１ａが幅方向へ並んだ状態で連結され、複数の第２鉄筋トラス構造材１１ｂが幅方向へ並んだ状態で連結され、それら第１及び第２鉄筋トラス構造材１１ａ，１１ｂの上端部が建築物の天井鉄筋トラス構造材５４（天井部分）に所定の連結手段を介して連結固定されているとともに、それら第１及び第２鉄筋トラス構造材１１ａ，１１ｂの下端部が建築物の基礎部分１２に所定の連結手段を介して連結固定されている。
【０１４７】
具体的には、第１及び第２鉄筋トラス１９ａ，１９ｂの上端筋２９の上端部と下端筋３０の上端部と第１及び第２ラチス筋３１，３２の上端部とが前後方向へ折り曲げられ、それらの上端部の折曲部分が既存の連結手段（各種の連結ボルト、各種のジョイント金具、各種のジョイントアングル、各種のジョイントレール、結束線、溶接等）を介して天井鉄筋トラス構造材５４の鉄筋トラス５８（上端筋２９や下端筋３０、第１及び第２ラチス筋３１，３２）に連結固定され、第１及び第２金属ベース１７ａ，１７ｂの上端部２３が既存の連結手段（各種の連結ボルト、各種のジョイント金具、各種のジョイントアングル、各種のジョイントレール、溶接等）を介して天井鉄筋トラス構造材５４の鉄筋トラス５８（上端筋２９や下端筋３０、第１及び第２ラチス筋３１，３２）に連結固定されている。
【０１４８】
更に、第１及び第２鉄筋トラス１９ａ，１９ｂの上端筋２９の下端部と下端筋３０の下端部と第１及び第２ラチス筋３１，３２の下端部とが既存の連結手段（各種の連結ボルト、各種のジョイント金具、各種のジョイントアングル、各種のジョイントレール、結束線、溶接等）を介して基礎部分１２の基礎鉄筋に連結固定され、第１及び第２金属ベース１７ａ，１７ｂの下端部が既存の連結手段（各種の連結ボルト、各種のジョイント金具、各種のジョイントアングル、各種のジョイントレール、溶接等）を介して基礎部分１２の基礎鉄筋に連結固定されている。
【０１４９】
建築物の１階部分におけるそれら内壁材１５の連結は、図１１の内壁材１５のそれと同一である。内壁材１５の前面３７が第１鉄筋トラス構造材１１ａの第１金属ベース１７ａの非対向面２０（後面）から後方へわずかに離間しているが、内壁材１５の前面３８が第１金属ベース１７ａの非対向面２０に当接していてもよい。建築物の１階部分におけるそれら外壁材１６の連結は、図１１の外壁材１５のそれと同一である。外壁材１５の後面４５が第２鉄筋トラス構造材１１ｂの第２金属ベース１７ｂの非対向面１８（前面）から前方へわずかに離間しているが、外壁材１６の後面４５が第２金属ベース１７ｂの非対向面１８に当接していてもよい。
【０１５０】
建築物の２階以上の部分では、図１４に示すように、複数の第１鉄筋トラス構造材１１ａが幅方向へ並んだ状態で連結され、複数の第２鉄筋トラス構造材１１ｂが幅方向へ並んだ状態で連結され、それら第１及び第２鉄筋トラス構造材１１ａ，１１ｂの上端部が建築物の天井鉄筋トラス構造材５４（天井部分）に所定の連結手段を介して連結固定されているとともに、それら第１及び第２鉄筋トラス構造材１１ａ，１１ｂの下端部が建築物の天井鉄筋トラス構造材５４（１階の天井部分又は２階以上の天井部分）に所定の連結手段を介して連結固定されている。
【０１５１】
具体的には、第１及び第２鉄筋トラス１９ａ，１９ｂの上端筋２９の上端部と下端筋３０の上端部と第１及び第２ラチス筋３１，３２の上端部とが前後方向へ折り曲げられ、それらの上端部の折曲部分が既存の連結手段（各種の連結ボルト、各種のジョイント金具、各種のジョイントアングル、各種のジョイントレール、結束線、溶接等）を介して天井鉄筋トラス構造材５４の鉄筋トラス５８（上端筋２９や下端筋３０、第１及び第２ラチス筋３１，３２）に連結固定され、第１及び第２金属ベース１７ａ，１７ｂの上端部２３が既存の連結手段（各種の連結ボルト、各種のジョイント金具、各種のジョイントアングル、各種のジョイントレール、溶接等）を介して天井鉄筋トラス構造材５４の鉄筋トラス５８（上端筋２９や下端筋３０、第１及び第２ラチス筋３１，３２）に連結固定されている。
【０１５２】
更に、第１及び第２鉄筋トラス１９ａ，１９ｂの上端筋２９の下端部と下端筋３０の下端部と第１及び第２ラチス筋３１，３２の下端部とが前後方向へ折り曲げられ、それらの下端部の折曲部分が既存の連結手段（各種の連結ボルト、各種のジョイント金具、各種のジョイントアングル、各種のジョイントレール、結束線、溶接等）を介して天井鉄筋トラス構造材５４の鉄筋トラス５８（上端筋２９や下端筋３０、第１及び第２ラチス筋３１，３２）に連結固定され、第１及び第２金属ベース１７ａ，１７ｂの下端部が既存の連結手段（各種の連結ボルト、各種のジョイント金具、各種のジョイントアングル、各種のジョイントレール、溶接等）を介して天井鉄筋トラス構造材５４の鉄筋トラス５８（上端筋２９や下端筋３０、第１及び第２ラチス筋３１，３２）に連結固定されている。
【０１５３】
建築物の２階以上の部分における内壁材１５の上端部４１と天井鉄筋トラス構造材５４との連結や建築物の２階以上の部分における内壁材１５の下端部４２と天井鉄筋トラス構造材５４との連結、建築物の２階以上の部分における外壁材１６の上端部４８と天井鉄筋トラス構造材５４との連結、建築物の２階以上の部分における外壁材１６の下端部４９と天井鉄筋トラス構造材５４との連結は、図１１の内壁材１５や外壁材１６のそれらと同一である。
【０１５４】
建築物の１階部分及び２階以上の部分では、第１鉄筋トラス構造材１１ａと第２鉄筋トラス構造材１１ｂとが前後方向へ対向し、第１鉄筋トラス１９ａの間に第２鉄筋トラス１９ｂが位置し、第２鉄筋トラス１９ｂの間に第１鉄筋トラス１９ａが位置している。第１鉄筋トラス１９ａの上端筋２９は、第２金属ベース１７ｂと第２鉄筋トラス１９ｂの下端筋３０との間に位置するとともに、幅方向へ隣り合う（隣接する）第２鉄筋トラス１９ｂの第１ラチス筋３１と第２ラチス筋３２との間に位置し、第２鉄筋トラス１９ｂの第１及び第２ラチス筋３１，３２に対向している。第１鉄筋トラス１９ａの上端筋２０は、第２金属ベース１７ｂの対向面２０から後方に離間している。
【０１５５】
第１鉄筋トラス１９ａの下端筋３０は、幅方向へ隣り合う（隣接する）第２鉄筋トラス１９ｂの第１ラチス筋３１と第２ラチス筋３２との間に位置し、第２鉄筋トラス１９ｂの第１及び第２ラチス筋３１，３２に対向している。第１鉄筋トラス１９ａの第１ラチス筋３１は、幅方向へ隣り合う（隣接する）第２鉄筋トラス１９ｂの第１ラチス筋３１と第２ラチス筋３２との間に位置し、第２鉄筋トラス１９ｂの第１及び第２ラチス筋３１，３２に対向している。第１鉄筋トラス１９ａの第２ラチス筋３２は、幅方向へ隣り合う（隣接する）第２鉄筋トラス１９ｂの第１ラチス筋３１と第２ラチス筋３２との間に位置し、第２鉄筋トラス１９ｂの第１及び第２ラチス筋３１，３２に対向している。
【０１５６】
第２鉄筋トラス１９ｂの上端筋２９は、第１金属ベース１７ａと第１鉄筋トラス１９ａの下端筋３０との間に位置するとともに、幅方向へ隣り合う（隣接する）第１鉄筋トラス１９ａの第１ラチス筋３１と第２ラチス筋３２との間に位置し、第１鉄筋トラス１９ａの第１及び第２ラチス筋３１，３２に対向している。第２鉄筋トラス１９ｂの上端筋２９は、第１金属ベース１７ａの対向面１８から前方に離間している。
【０１５７】
第２鉄筋トラス１９ｂの下端筋３０は、幅方向へ隣り合う（隣接する）第１鉄筋トラス１９ａの第１ラチス筋３１と第２ラチス筋３２との間に位置し、第１鉄筋トラス１９ａの第１及び第２ラチス筋３１，３２に対向している。第２鉄筋トラス１９ｂの第１ラチス筋３１は、幅方向へ隣り合う（隣接する）第１鉄筋トラス１９ａの第１ラチス筋３１と第２ラチス筋３２との間に位置し、第１鉄筋トラス１９ａの第１及び第２ラチス筋３１，３２に対向している。第２鉄筋トラス１９ｂの第２ラチス筋３２は、幅方向へ隣り合う（隣接する）第１鉄筋トラス１９ａの第１ラチス筋３１と第２ラチス筋３２との間に位置し、第１鉄筋トラス１９ａの第１及び第２ラチス筋３１，３２に対向している。
【０１５８】
建築物の壁（壁鉄筋構造物）においてそれら第１鉄筋トラス構造材１１ａの第１金属ベース１７ａの対向面１８とそれら第２鉄筋トラス構造材１１ｂの第２金属ベース１７ｂの対向面２０との間には、所定容積の断熱空間５１が画成されている。断熱空間５１には、チップ状の複数の断熱材５２が密集状態で収容されている。建築物の天井（天井鉄筋構造物）においてそれら天井鉄筋トラス構造材５４の金属ベース５７と床仕上材５６との間には、所定容積の断熱空間６０が画成されている。断熱空間６０には、チップ状の複数の断熱材５２が密集状態で収容されている。断熱材５２は、図１の壁鉄筋構造物１０Ａのそれと同一である。
【０１５９】
壁鉄筋構造物１０Ｂ及び天井鉄筋構造物５３は、それら第１鉄筋トラス構造材１１ａの第１金属ベース１７ａの対向面１８とそれら第２鉄筋トラス構造材１１ｂの第２金属ベース１７ｂの対向面２０との間に画成された断熱空間５１にチップ状の複数の断熱材５２が密集状態で収容されるとともに、それら天井鉄筋トラス構造材５４の金属ベース５７と床仕上材５６との間の断熱空間６０にチップ状の複数の断熱材５２が密集状態で収容されることで、壁鉄筋構造物１０Ｂによって作られた壁や天井鉄筋構造物５３によって作られた天井（床）が優れた断熱性能を有するから、高気密、高断熱の壁を備えた建築物を施工することができ、冷暖房効率が高い建築物を施工することができる。
【０１６０】
壁鉄筋構造物１０Ｂや天井鉄筋構造物５３は、チップ状の複数の断熱材５２を断熱空間５１，６０に収容することで、壁鉄筋構造物１０Ｂ自体や天井鉄筋構造物５３自体が断熱機能を有するから、断熱材を別途設置するための断熱材施工工事を省くことができ、断熱材施工工事のための手間やコストを省くことができる。
【０１６１】
壁鉄筋構造物１０Ｂでは、内壁材１５に穿孔された貫通孔４３（空気孔）が第１金属ベース１７ａの非対向面２０（断熱空間５１）と建築物の室内とに連通し、第１金属ベース１７ａに穿孔された貫通孔２６（空気孔）が内壁材１５の前面３７と断熱空間５１とに連通し、第２金属ベース１７ｂに穿孔された貫通孔２６（空気孔）が断熱空間５１と外壁材１６の後面４５とに連通するとともに、外壁材１６に穿孔された貫通孔５０（空気孔）が第２金属ベース１７ｂの対向面１８と建築物の室外とに連通している。天井鉄筋構造物５３では、金属ベース５７の両端部２３，２４を貫通する貫通孔５９（空気孔）が壁鉄筋構造物１０Ｂの断熱空間５１に連通している。
【０１６２】
室内の空気は、内壁材１５の貫通孔４３及び第１金属ベース１７ａの貫通孔２６を通って断熱空間５１に流入し、断熱空間５１から第２金属ベース１７ｂの貫通孔２６及び外壁材１６の貫通孔５０を通って室外に排気される。また、室外の空気（外気）は、外壁材１６の貫通孔５０及び第２金属ベース１７ｂの貫通孔２６を通って断熱空間５１に流入し、断熱空間５１から第１金属ベース１７ａの貫通孔２６及び内壁材１５の貫通孔４３を通って室内に給気される。また、空気が建築物の天井（天井鉄筋構造物５３）に画成された断熱空間６０を通流する。
【０１６３】
壁鉄筋構造物１０Ｂ及び天井鉄筋構造物５３は、貫通孔４３を内壁材１５の下端部４２の断熱空間５１に位置する部分、貫通孔５０を外壁材１６の上端部４８の断熱空間５１に位置する部分、貫通孔２６を第１金属ベース１７ａの下端部４２の断熱空間５１に位置する部分、貫通孔２６を第２金属ベース１７ｂの上端部４８の断熱空間５１に位置する部分、貫通孔５９を金属ベース５７の両端部２３，２４に穿孔することにより、建築物の内部の空気が内壁材１５や外壁材１６の貫通孔４３，５１、第１及び第２金属ベース１７ａ，１７ｂの貫通孔２６、金属ベース５７の貫通孔５９、断熱空間５１，６０（壁及び天井）を通って建築物の外部に排気され、建築物の外部の空気が内壁材１５や外壁材１６の貫通孔４３，５１、第１及び第２金属ベース１７ａ，１７ｂの貫通孔２６、金属ベース５７の貫通孔５９、断熱空間５１，６０（壁及び天井）を通って建築物の内部に給気されるから、建築物の外部に建築物の内部の汚れた空気を内壁材１５や外壁材１６の貫通孔４３，５１、第１及び第２金属ベース１７ａ，１７ｂの貫通孔２６、金属ベース５８の貫通孔５９、断熱空間５１，６０（壁及び天井）を介して排出することができ、建築物の内部に新鮮な外気を内壁材１５や外壁材１６の貫通孔４３，５１、第１及び第２金属ベース１７ａ，１７ｂの貫通孔２６、金属ベース５７の貫通孔５９、断熱空間５１，６０（壁及び天井）を介して取り入れることができる。
【０１６４】
壁鉄筋構造物１０Ｂ及び天井鉄筋構造物５３は、壁（壁鉄筋構造物１０Ｂ）や天井（天井鉄筋構造物５３）に画成された断熱空間５１，６０を空気が通流するから、断熱空間５１，６０（壁や天井）が高湿度になることはなく、断熱空間５１，６０における結露の発生を防ぐことができるとともに、断熱空間５１，６０におけるカビや雑菌の発生を防ぐことができる。
【０１６５】
壁鉄筋構造物１０Ｂ及び天井鉄筋構造物５３は、壁鉄筋構造物１０Ｂが上下方向へ延びる所定面積の第１及び第２鉄筋トラス構造材１１ａ，１１ｂと第１鉄筋トラス構造材１１ａの直後に位置して上下方向へ延びる所定面積の内壁材１５と第２鉄筋トラス構造材１１ｂの直前に位置して上下方向へ延びる所定面積の外壁材１６とから形成され、天井鉄筋構造物５３が前後方向へ延びる所定面積の天井鉄筋トラス構造材５４と天井鉄筋トラス構造材５４の直下に位置して前後方向へ延びる所定面積の天井仕上材５５と天井鉄筋トラス構造材５４の直上に位置して前後方向へ延びる所定面積の床仕上材５６とから形成され、建築物の１階部分において、複数の第１及び第２鉄筋トラス構造材１１ａ，１１ｂが幅方向へ並んだ状態で連結され、それら第１及び第２鉄筋トラス構造材１１ａ，１１ｂの上端部（第１及び第２鉄筋トラス１９ａ，１９ｂの上端筋２９の上端部、下端筋３０の上端部、第１及び第２ラチス筋３１，３２の上端部、第１及び第２金属ベース１７ａ，１７ｂの上端部２３）が天井鉄筋トラス構造材５４の鉄筋トラス５８（上端筋２９や下端筋３０、第１及び第２ラチス筋３１，３２）に所定の連結手段を介して連結固定されているとともに、それら第１及び第２鉄筋トラス構造材１１ａ，１１ｂの下端部（第１及び第２鉄筋トラス１９ａ，１９ｂの上端筋２９の下端部、下端筋３０の下端部、第１及び第２ラチス筋３１，３２の下端部、第１及び第２金属ベース１７ａ，１７ｂの下端部２４）が建築物の基礎部分１２に所定の連結手段を介して連結固定され、建築物の２階以上の部分において、複数の第１及び第２鉄筋トラス構造材１１ａ，１１ｂが幅方向へ並んだ状態で連結され、それら第１及び第２鉄筋トラス構造材１１ａ，１１ｂの上端部（第１及び第２鉄筋トラス１９ａ，１９ｂの上端筋２９の上端部、下端筋３０の上端部、第１及び第２ラチス筋３１，３２の上端部、第１及び第２金属ベース１７ａ，１７ｂの上端部２３）が天井鉄筋トラス構造材５４の鉄筋トラス５８（上端筋２９や下端筋３０、第１及び第２ラチス筋３１，３２）に所定の連結手段を介して連結固定されているとともに、それら第１及び第２鉄筋トラス構造材１１ａ，１１ｂの下端部（第１及び第２鉄筋トラス１９ａ，１９ｂの上端筋２９の下端部、下端筋３０の下端部、第１及び第２ラチス筋３１，３２の下端部、第１及び第２金属ベース１７ａ，１７ｂの下端部２４）が天井鉄筋トラス構造材５４の鉄筋トラス５８（上端筋２９や下端筋３０、第１及び第２ラチス筋３１，３２）に所定の連結手段を介して連結固定され、更に、鉄筋トラス構造材１１ａ，１１ｂと内壁材１５と外壁材１６とが所定の連結手段によって互いに連結されているから、壁鉄筋構造物材１０Ｂや天井鉄筋構造物５３に曲げ引張力や曲げ圧縮力、せん断力が作用したとしても、それら第１及び第２鉄筋トラス構造材１１ａ，１１ｂや天井鉄筋トラス構造材５４、それら内壁材１５、それら外壁材１６によってそれらの外力に十分に抵抗することでき、高い強度を有する頑丈な壁を備えた建築物を施工することができる。
【０１６６】
壁鉄筋構造物１０Ｂ及び天井鉄筋構造物５３は、それらから作られた建築物の壁や天井が高い強度を有するから、地震による激しい揺れに十分耐えることができるとともに、津波の水圧に十分に耐えることができ、地震による建造物の倒壊を防ぐことが可能であって津波による建造物の流失を防ぐことが可能な建築物を施工することができる。また、それら第１及び第２鉄筋トラス構造材１１ａ，１１ｂやそれら天井鉄筋トラス構造材５４が不燃性であるから、火災に強い壁を備えた建築物を施工することができる。壁鉄筋構造物１０Ｂ及び天井鉄筋構造物５３は、鉄筋の配筋作業や型枠の組立作業、型枠の取り外し作業をする必要はなく、短い工期で壁を構築することができるとともに、鉄筋の配筋技術や型枠の組立技術を必要とせず、鉄筋の配筋技術を備えた鉄筋工や型枠の組立技術を備えた型枠工以外の作業者でも壁を施工することができる。
【符号の説明】
【０１６７】
１０Ａ  壁鉄筋構造物
１０Ｂ  壁鉄筋構造物
１１    鉄筋トラス構造材
１１ａ  第１鉄筋トラス構造材
１１ｂ  第２鉄筋トラス構造材
１２    基礎部分
１３    天井スラブ（天井部分）
１４    床スラブ（床部分）
１５    内壁材
１６    外壁材
１７    金属ベース
１７ａ  第１金属ベース
１７ｂ  第２金属ベース
１８    前面（対向面、非対向面、上面）
１９    鉄筋トラス
１９ａ  第１鉄筋トラス
１９ｂ  第２鉄筋トラス
２０    後面（対向面、非対向面、下面）
２１    側部
２２    側部
２３    上端部
２４    下端部
２５    凸条（縦条）
２６    貫通孔
２７    第１係合部
２８    第２係合部
２９    上端筋
３０    下端筋
３１    第１ラチス筋
３２    第２ラチス筋
３３    凸部
３４    凹部
３５    中間部
３６    屈曲部分
３７    前面
３８    後面
３９    側部
４０    側部
４１    上端部
４２    下端部
４３    貫通孔
４４    前面
４５    後面
４６    側部
４７    側部
４８    上端部
４９    下端部
５０    貫通孔
５１    断熱空間
５２    断熱材
５３    天井委鉄筋構造物
５４    天井鉄筋トラス構造材
５５    天井仕上材
５６    床仕上材
５７    金属ベース
５８    鉄筋トラス
５９    貫通孔
６０    断熱空間
【図１】
2020070583.tif 000003
【図２】
2020070583.tif 000004
【図３】
2020070583.tif 000005
【図４】
2020070583.tif 000006
【図５】
2020070583.tif 000007
【図６】
2020070583.tif 000008
【図７】
2020070583.tif 000009
【図８】
2020070583.tif 000010
【図９】
2020070583.tif 000011
【図１０】
2020070583.tif 000012
【図１１】
2020070583.tif 000013
【図１２】
2020070583.tif 000014
【図１３】
2020070583.tif 000015
【図１４】
2020070583.tif 000016